(57)【要約】【課題】簡易に機材を賃貸借することができるサーバ、情報取得装置、情報提供方法、情報送信方法およびプログラムを提供する。【解決手段】サーバ１０は、複数の情報取得装置の各々から使用履歴に関する使用履歴情報および所有者を識別する識別情報を取得する取得部１５１と、使用履歴情報および識別情報に基づいて、特定の日時における複数の情報取得装置の使用状況を推定する使用状況予測部１５３と、使用状況予測部１５３が推定した推定結果に基づいて、複数の情報取得装置のうち特定の日時において未使用の情報取得装置に対して賃借者に貸し出すレンタルサービスの登録を促すレンタル登録情報を送信する第１通信部１１と、を備える。【選択図】図２
2019086825.tif 000002
【特許請求の範囲】
【請求項１】
ネットワークを介して複数の情報取得装置の各々が接続されるサーバであって、
前記複数の情報取得装置の各々から使用履歴に関する使用履歴情報および前記複数の情報取得装置の各々を識別する情報取得装置識別情報を取得する取得部と、
前記使用履歴情報および前記情報取得装置識別情報に基づいて、特定の日時における前記複数の情報取得装置の使用状況を予測する使用状況予測部と、
前記使用状況予測部が予測した予測結果に基づいて、前記複数の情報取得装置のうち前記特定の日時において不使用と予測される不使用情報取得装置を特定する特定部と、
を備えることを特徴とするサーバ。
【請求項２】
複数の画像データを記録する画像データ記録部と、
前記ネットワークを介して当該サーバに接続された機器が閲覧を所望する画像を前記画像データ記録部から検索する検索部と、
複数の機材の各々に関する機材情報を記録するデータベースと、
前記データベースが記録する前記複数の機材から前記検索部の検索結果に基づいて、前記機器に対して使用を推奨する推奨機材を判定する推奨機材判定部と、
を備えることを特徴とする請求項１に記載のサーバ。
【請求項３】
前記推奨機材判定部は、前記機器が当該サーバに接続した回数または接続時間に基づいて、前記推奨機材を判定することを特徴とする請求項２に記載のサーバ。
【請求項４】
前記取得部は、前記不使用情報取得装置から貸し出すことを承諾する登録情報を受信した場合、少なくとも前記不使用情報取得装置または前記不使用情報取得装置が接続された情報処理装置から貸し出し時に前記不使用情報取得装置において禁止された禁止条件を取得することを特徴とする請求項１〜３のいずれか一つに記載のサーバ。
【請求項５】
前記不使用情報取得装置に対して、前記特定の日時に貸し出すことを促すレンタル登録情報を前記不使用情報取得装置が接続された情報処理装置に送信する通信部をさらに備えることを特徴とする請求項１〜４のいずれか一つに記載のサーバ。
【請求項６】
ネットワークに接続された情報処理装置を介してサーバに接続することができる情報取得装置であって、
当該情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信部を備えることを特徴とする情報取得装置。
【請求項７】
当該情報取得装置に装着された機器が特定状況であるか否かを判定する特定状況判定部と
前記特定状況判定部によって前記機器が前記特定状況であると判定された場合、前記機器に設定されたレンタル情報に基づいて、当該情報取得装置を制御する撮像制御部と、
をさらに備えることを特徴とする請求項６に記載の情報取得装置。
【請求項８】
前記特定状況判定部は、前記機器に設定されたレンタル情報に基づいて、前記機器に対する操作が禁止行為であるか否かを判定し、
前記撮像制御部は、前記特定状況判定部によって前記操作が禁止行為であると判定された場合、前記操作に応じた動作を無効とすることを特徴とする請求項７に記載の情報取得装置。
【請求項９】
画像を表示することができる表示部と、
前記特定状況判定部によって前記操作が禁止行為であると判定された場合、前記操作が禁止行為である旨の警告を前記表示部に表示させる表示制御部と、
をさらに備えることを特徴とする請求項８に記載の情報取得装置。
【請求項１０】
ネットワークを介して複数の情報取得装置の各々が接続されるサーバが実行する情報提供方法であって、
前記複数の情報取得装置の各々から使用履歴に関する使用履歴情報および前記複数の情報取得装置の各々を識別する情報取得装置識別情報を取得する取得ステップと、
前記使用履歴情報および前記情報取得装置識別情報に基づいて、特定の日時における前記複数の情報取得装置の使用状況を予測する使用状況予測ステップと、
前記使用状況予測ステップで予測した予測結果に基づいて、前記複数の情報取得装置のうち前記特定の日時において不使用と予測される不使用情報取得装置を特定する特定ステップと、
を含むことを特徴とする情報提供方法。
【請求項１１】
ネットワークに接続された情報処理装置を介してサーバに接続することができる情報取得装置が実行する情報送信方法であって、
前記情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信ステップを含むことを特徴とする情報送信方法。
【請求項１２】
ネットワークを介して複数の情報取得装置の各々が接続されるサーバに、
前記複数の情報取得装置の各々から使用履歴に関する使用履歴情報および前記複数の情報取得装置の各々を識別する情報取得装置識別情報を取得する取得ステップと、
前記使用履歴情報および前記情報取得装置識別情報に基づいて、特定の日時における前記複数の情報取得装置の使用状況を予測する使用状況予測ステップと、
前記使用状況予測ステップで予測した予測結果に基づいて、前記複数の情報取得装置のうち前記特定の日時において不使用と予測される不使用情報取得装置を特定する特定ステップと、
を実行させることを特徴とするプログラム。
【請求項１３】
ネットワークに接続された情報処理装置を介してサーバに接続することができる情報取得装置に、
前記情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信ステップを実行させることを特徴とするプログラム。
【発明の詳細な説明】
【技術分野】
【０００１】
本発明は、情報を取得する情報取得装置のユーザに対して所定のサービスの登録を促すサーバ、情報取得装置、情報提供方法、情報送信方法およびプログラムに関する。
【背景技術】
【０００２】
近年、ネットワークを利用したレンタカー仲介システムにおいて、所有者が所有する自動車を有効に活用する技術が知られている（特許文献１参照）。この技術では、複数の自動車の所有者から自動車の貸し出しに関する情報である提供情報を受け付けるとともに、複数の賃借者から自動車の賃借利用の申し込みに関する情報である利用申込情報を受け付け、提供情報および利用申込情報に基づいて、自動車の所有者および賃借者を選定した後に、選定された自動車の所有者および賃借者の間で自動車の賃貸借の取引を仲介することによって、所有者の自動車を有効に活用する。
【先行技術文献】
【特許文献】
【０００３】
【特許文献１】特開２００２−９９７６２号公報
【発明の概要】
【発明が解決しようとする課題】
【０００４】
しかしながら、上述した特許文献１では、賃貸者の明確な意志が必要のため、貸し借りの敷居が高かった。
【０００５】
本発明は、上記に鑑みてなされたものであって、簡易に機材を賃貸借することができるサーバ、情報取得装置、情報提供方法、情報送信方法およびプログラムを提供することを目的とする。
【課題を解決するための手段】
【０００６】
上述した課題を解決し、目的を達成するために、本発明に係るサーバは、ネットワークを介して複数の情報取得装置の各々が接続されるサーバであって、前記複数の情報取得装置の各々から使用履歴に関する使用履歴情報および前記複数の情報取得装置の各々を識別する情報取得装置識別情報を取得する取得部と、前記使用履歴情報および前記情報取得装置識別情報に基づいて、特定の日時における前記複数の情報取得装置の使用状況を予測する使用状況予測部と、前記使用状況予測部が予測した予測結果に基づいて、前記複数の情報取得装置のうち前記特定の日時において不使用と予測される不使用情報取得装置を特定する特定部と、を備えることを特徴とする。
【０００７】
また、本発明に係る情報取得装置は、ネットワークに接続された情報処理装置を介してサーバに接続することができる情報取得装置であって、当該情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信部を備えることを特徴とする。
【０００８】
また、本発明に係る情報提供方法は、ネットワークを介して複数の情報取得装置の各々が接続されるサーバが実行する情報提供方法であって、前記複数の情報取得装置の各々から使用履歴に関する使用履歴情報および前記複数の情報取得装置の各々を識別する情報取得装置識別情報を取得する取得ステップと、前記使用履歴情報および前記情報取得装置識別情報に基づいて、特定の日時における前記複数の情報取得装置の使用状況を予測する使用状況予測ステップと、前記使用状況予測ステップで予測した予測結果に基づいて、前記複数の情報取得装置のうち前記特定の日時において不使用と予測される不使用情報取得装置を特定する特定ステップと、を含むことを特徴とする。
【０００９】
また、本発明に係る情報送信方法は、ネットワークに接続された情報処理装置を介してサーバに接続することができる情報取得装置が実行する情報送信方法であって、前記情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信ステップを含むことを特徴とする。
【００１０】
また、本発明に係るプログラムは、ネットワークを介して複数の情報取得装置の各々が接続されるサーバに、前記複数の情報取得装置の各々から使用履歴に関する使用履歴情報および前記複数の情報取得装置の各々を識別する情報取得装置識別情報を取得する取得ステップと、前記使用履歴情報および前記情報取得装置識別情報に基づいて、特定の日時における前記複数の情報取得装置の使用状況を予測する使用状況予測ステップと、前記使用状況予測ステップで予測した予測結果に基づいて、前記複数の情報取得装置のうち前記特定の日時において不使用と予測される不使用情報取得装置を特定する特定ステップと、を実行させることを特徴とする。
【００１１】
また、本発明に係るプログラムは、ネットワークに接続された情報処理装置を介してサーバに接続することができる情報取得装置に、前記情報取得装置の使用履歴に関する使用履歴情報、所有者を識別する所有者識別情報、当該情報取得装置を識別する情報取得装置識別情報、および当該情報取得装置で使用された所有機器に関する使用履歴と所有機器を識別する所有機器識別情報とを含む所有機器情報を前記サーバへ送信する通信ステップを実行させることを特徴とする。
【発明の効果】
【００１２】
本発明によれば、撮影へのモチベーションを高めて、賃貸借という手段を提供できるという効果を奏する。
【図面の簡単な説明】
【００１３】
【図１】図１は、本発明の一実施の形態に係る画像共有システムの概略構成を示す模式図である。
【図２】図２は、本発明の一実施の形態に係るサーバの機能構成を示すブロック図である。
【図３】図３は、本発明の一実施の形態に係る情報処理装置の機能構成を示すブロック図である。
【図４】図４は、本発明の一実施の形態に係る情報取得装置の機能構成を示すブロック図である。
【図５】図５は、本発明の一実施の形態に係る携帯機器の機能構成を示すブロック図である。
【図６】図６は、本発明の一実施の形態に係る情報取得装置が実行する処理の概要を示すフローチャートである。
【図７】図７は、本発明の一実施の形態に係る情報処理装置が実行する処理の概要を示すフローチャートである。
【図８】図８は、本発明の一実施の形態に係る情報取得装置による使用履歴情報の一例を模式的に示す図である。
【図９】図９は、本発明の一実施の形態に係る情報処理装置の表示部が表示する画像の一例を模式的に示す図である。
【図１０】図１０は、図７のアドバイスレンタル受信処理の概要を示すフローチャートである。
【図１１】図１１は、本発明の一実施の形態に係る情報処理装置の表示部が表示するアドバイス情報の一例を模式的に示す図である。
【図１２】図１２は、本発明の一実施の形態に係る情報処理装置の表示部が表示するアドバイス情報の一例を模式的に示す図である。
【図１３】図１３は、本発明の一実施の形態に係る携帯機器が実行する処理の概要を示すフローチャートである。
【図１４】図１４は、本発明の一実施の形態に係るサーバが実行する処理の概要を示すフローチャートである。
【図１５】図１５は、図１４の画像鑑賞処理の概要を示すフローチャートである。
【図１６】図１６は、図１４のバージョンアップ処理の概要を示すフローチャートである。
【図１７】図１７は、図１４のレンタル処理の概要を示すフローチャートである。
【図１８】図１８は、図１７のアドバイス送信処理の概要を示すフローチャートである。
【図１９】図１９は、図１７のレンタル選定処理の概要を示すフローチャートである。
【図２０】図２０は、図１７のレンタル登録処理の概要を示すフローチャートである。
【発明を実施するための形態】
【００１４】
以下、図面を参照して、本発明を実施するための形態（以下、「実施の形態」という）について説明する。なお、以下の実施の形態により本発明が限定されるものではない。さらに、図面の記載において、同一の部分には同一の符号を付して説明する。また、以下の説明では、情報処理装置として、パーソナルコンピュータを例に説明するが、パーソナルコンピュータ以外にも、タブレット型端末装置であっても適用することができる。さらに、以下の説明では、情報取得装置として、連続的に画像データを撮像することができるデジタルスチルカメラを例に説明するが、デジタルスチルカメラ以外にも、カムコーダ、デジタルビデオカメラ、ＩＣレコーダ、ビデオマイクロスコープ等の顕微鏡、工業用または医療用の内視鏡であっても適用することができる。さらにまた、以下の説明では、携帯機器として、撮像機能を有する携帯電話を例に説明するが、携帯電話以外にも、タブレット型端末等であっても適用することができる。
【００１５】
図１は、本発明の一実施の形態に係る画像共有システムの概略構成を示す模式図である。図１に示す画像共有システム１は、各機器がネットワークＮ１００を介して、複数の画像データを蓄積したサーバ１０に接続することによって画像データに対応する画像を他の機器の所有者と共有するＳＮＳ（Social  Networking  Service）等のシステムである。
【００１６】
以下の説明では、説明を単純化するために、明解な役割分担で各所有者の特徴を記載するが、これは、そのことに発明を限定するものではない。つまり、ユーザＵ１、ユーザＵ２等の情報取得装置３０Ａあるいは情報取得装置３０Ｂの所有者は、ＰＣ等の情報処理装置２０Ａまたは処理情報装置２０Ｂと頻繁に通信を行う。つまり、情報取得装置３０Ａあるいは情報取得装置３０Ｂは、フィールドでの携帯性が重視されるので、小さな画面でしか撮影画像の確認や整理が出来ないが、ＰＣ等の情報処理装置２０Ａあるいは２０Ｂは、画面も大きく、操作部材も多彩なので、こうした不満を解消して、画像の比較や編集や保存、あるいはインターネット、その他のネットワークを介しての画像共有などに優れているという特性がある。従って、カメラ等の情報取得装置３０Ａあるいは情報取得装置３０Ｂのユーザは、かなり頻繁にＰＣ等の情報処理装置２０Ａあるいは情報取得装置２０Ｂを活用している。このため、ＰＣ等の情報処理装置２０Ａあるいは情報処理装置２０Ｂ内には、撮影画像を整理したり保存したり、編集するためのソフトなどがインストールされている可能性が非常に高い。
【００１７】
また、こうしたソフトウェアは、ウィルス対策、新機能追加など様々な理由から、頻繁にネットワークを介したサーバ１０との通信がなされることとなる。サーバ１０は、ＰＣ等の情報処理装置２０Ａあるいは情報処理装置２０Ｂのソフトを安全にバージョンアップしたり、画像の加工や保存を一部補助したりできるような画像専用の機能を有している。このような機器の連携環境において、サーバ１０は、各ＰＣ、つまり、カメラ等の情報取得装置３０Ａ、３０Ｂのユーザの画像管理ソフト利用状況や、整理された撮影画像の情報を取得して管理することが出来る。
【００１８】
このような管理は、各ユーザとサーバ運営法人との契約で許諾されるものである。また、こうした画像管理のサーバ１０には、様々なカメラユーザが自信を持って公開している画像がアップロードされ管理されているので、スマートフォンなどのユーザ６０が、どこからでも、それらの画像を見て楽しむことが出来る。このような状況が、さらに自慢の写真をアップロードするという活動にモチベーションが与えられることになる。この画像鑑賞者６０は、今度は、美しい写真から、こんな写真を撮ってみたいというモチベーションが得られるので、新たにカメラを駆使した撮影を楽しみたいという潜在ユーザとなりうる、あるいは、もっと違う撮影が出来る新しいカメラを使ってみたいというモチベーションを画像を見るという行為から与えられる。これは、他の機器のレンタルサービスの現場ではないモチベーションの与えられ方で、いわゆるモノ指向ではなく、コト志向でのカメラ体験が始まることになる。カメラマンであるユーザＵ１かユーザＵ２か、どちらのカメラマンが使っているカメラが良いかなどを、好きな画像から知ることができ、画像を選べば、撮りたい写真、そしてお薦めのカメラが分かる仕組みにすることが出来る。もちろん、鳥の写真を公開している人のカメラが必ず鳥撮影にふさわしい性能を持っているとは言えず、撮りたい画像を撮影したカメラが必ずしも借りられるというものでもないが、たくさんのカメラマンが参加するコミュニティなどを運営するサーバであれば、ユーザの好みを考慮して、稼働率の低い、他のカメラを推奨することもできる。従って、この画像を好むユーザには、このカメラ機種、このアクセサリーが良いというデータベースを有している必要があり、そのような該当機材をどのユーザが有しているか、さらにどのユーザがレンタルに応じそうかという情報を持っている必要がある。
【００１９】
また、貸し出しできるかどうかは、カメラ所有者、あるいはユーザが、カメラを頻繁に使っている人か特定のイベントでしか使わない人かによって異なるし、特定のイベントでしか使わない人でも、貸し出しの可能性は使いたい日によるので、画像選択した人には、撮影を楽しみたい日にちを設定できるような操作なり情報を要求してもよい。もちろん、すでにネットワーク上や端末上にスケジュールを入れている人の場合は、その情報を参考に、あなたは、この日に運動会があるが、その日にはこのカメラを持っているこの人と交渉すれば、貸して貰えるかもしれない、というような情報を出すことが出来る。
【００２０】
さらに、各ユーザは、サーバ上に画像データをアップすることで、バックアップとして機能させるストレージ機能を望んでいる。この場合、サーバは、ユーザ毎の画像データをデータベースとして記録する。
【００２１】
図１に示す画像共有システム１は、ネットワークＮ１００を介してサーバ１０に接続することができる複数の情報処理装置２０と、ネットワークＮ１００および情報処理装置２０を介してサーバ１０に接続することができる複数の情報取得装置３０と、ネットワークＮ１００を介してサーバ１０に接続することができる携帯機器６０と、を備える。なお、以下においては、所有者Ｕ１の情報処理装置２０および情報取得装置３０を情報処理装置２０Ａおよび情報取得装置３０Ａとし、所有者Ｕ２の情報処理装置２０および情報取得装置３０を情報処理装置２０Ｂおよび情報取得装置３０Ｂとし、携帯機器６０の所有者を所有者Ｕ３として説明する。さらに、以下においては、単に情報処理装置２０および情報取得装置３０と表記する場合、どちらか一方を指す。さらにまた、以下において、単に機器と表記する場合、情報処理装置２０、情報取得装置３０、後述する交換レンズ３２やアクセサリー３３および携帯機器６０のいずれかを指す。
【００２２】
〔サーバの構成〕
まず、サーバ１０の構成について説明する。先に説明したように、画像管理ソフトを管理したり、アップロード画像を記録したりするもので、これらは分散されて配置されてもよいが、ここでは同じサーバ１０が担当しているような形で説明する。即ち、機能毎に複数設けてもよい。
【００２３】
図２は、サーバ１０の機能構成を示すブロック図である。
図２に示すサーバ１０は、第１通信部１１と、画像データ記録部１２と、レンタルサービス記録部１３と、プログラム記録部１４と、第１制御部１５と、を備える。
【００２４】
第１通信部１１は、第１制御部１５の制御のもと、ネットワークＮ１００を介して情報処理装置２０、情報取得装置３０および携帯機器６０の各々と所定のプロトコルに従って双方向にデータ通信を行う。また、第１通信部１１は、後述する特定部１５４が特定した特定の日時において不使用の機器（情報取得装置３０、交換レンズ３２またはアクセサリー３３）に対して、賃借者に貸し出すレンタルサービスの登録を促すレンタル登録情報を送信する。第１通信部１１は、通信モジュールを用いて構成される。画像管理ソフトを管理したり、アップロード画像を記録したりするので、情報処理装置３０ａ等の各カメラの稼働の状況などがリアルタイムで把握できるという特徴がある。そこで、レンタルサービスへの応用をここでは特に重視して説明している。
【００２５】
画像データ記録部１２は、ネットワークＮ１００および第１通信部１１を介して各機器から受信した画像ファイルに格納された画像データを記録する。画像データ記録部１２は、ＨＤＤ（Hard  Disk  Drive）等の揮発性メモリやＳＳＤ（Solid  State  Drive）の不揮発性メモリ等を用いて構成される。
【００２６】
レンタルサービス記録部１３は、ＨＤＤ等の揮発性メモリやＳＳＤの不揮発性メモリ等を用いて構成され、レンタルを行うための各種情報を記録する。レンタルサービス記録部１３は、サーバ１０にアクセスした各機器の使用履歴に関する使用履歴情報を記録する使用履歴情報記録部１３１と、各機器を識別する機器識別情報、各機器の使用履歴情報および各機器の所有者を識別する所有者識別情報（所有者ＩＤ）を対応付けて記録する識別情報記録部１３２と、各所有者が所有する情報取得装置３０に接続することができるアクセサリー等の所有機器の使用履歴に関する使用履歴情報および所有機器を識別する所有機器識別情報を含む所有機器情報を記録する所有機器情報記録部１３３と、機器を貸し出すための複数のレンタル情報を記録するレンタル情報記録部１３４と、を有する。なお、本実施の形態では、レンタルサービス記録部１３が複数の機材の各々に関する機材情報を記録するデータベースとして機能する。
【００２７】
ここで、使用履歴とは、撮影コマ数、所有機器の使用回数、撮影パラメータ、主要被写体、モード、撮影シーンおよび撮影日時である。さらに、撮影パラメータとは、絞り値、シャッタ速度、ＩＳＯ感度、測光値、露出値、ＡＦ位置、ＡＦモード、ホワイトバランス、彩度、コントラスト、明度、シャープネスおよびシャドーハイライト等である。さらにまた、モードとは、プログラムオートモード、絞り優先モード、シャッタ優先モード、オートモードおよび特殊効果撮影モードである。
【００２８】
また、レンタル情報には、少なくとも後述する記入テンプレートで指定した特定の日時における貸し出し可能な機器の有無情報、機器を識別する機器識別情報、機器を所有する所有者の所有者識別情報（所有者ＩＤ）、借りるための賃貸条件、借りるための賃貸仲介場所情報、賃貸期間が含まれる。さらに、賃貸条件には、賃貸する機器の禁止条件（禁止行為、例えば激しい操作や乱暴な操作）、使用禁止場所（例えば水辺、海および浜辺等）、禁止機能（ピント位置の調整を禁止）および賃貸要件（例えばクリーニング後に返却）が含まれる。さらに、賃貸仲介場所情報には、仲介場所（例えばコンビニエンスストアの場所や社名）、仲介業者（例えば宅配会社の種別）および返却時の仲介場所への送信方法が含まれる。
【００２９】
また、機器識別情報とは、複数の情報処理装置２０を識別する情報処理装置識別情報、複数の情報取得装置３０を識別する情報取得装置識別情報および携帯機器６０の各々を識別する携帯機器識別情報のいずれかを識別する識別情報である。以下においては、複数の情報処理装置２０を識別する情報処理装置識別情報、複数の情報取得装置３０を識別する情報取得装置識別情報および携帯機器６０の各々を識別する携帯機器識別情報のいずれかを指す場合、単に機器識別情報という。
【００３０】
プログラム記録部１４は、ＨＤＤ等の揮発性メモリやＳＳＤの不揮発性メモリ等を用いて構成される。プログラム記録部１４は、情報処理装置２０または携帯機器６０の機器で実行される各種アプリのプログラムを記録するアプリプログラム記録部１４１と、情報取得装置３０で実行するカメラプログラムを記録するカメラプログラム記録部１４２と、サーバ１０が実行する各種プログラムを記録するサーバプログラム記録部１４３と、を有する。
【００３１】
第１制御部１５は、ＣＰＵ（Central  Processing  Unit）等を用いて構成され、サーバ１０を構成する各部を統括的に制御する。第１制御部１５は、取得部１５１と、所有者判定部１５２と、使用状況予測部１５３と、特定部１５４と、日時設定部１５５と、検索部１５６と、アドバイス情報生成部１５７と、送信制御部１５８と、レンタル登録部１５９と、更新制御部１６０と、推奨機材判定部１６１と、を有する。
【００３２】
取得部１５１は、サーバ１０に接続された複数の情報処理装置２０または複数の情報取得装置３０の各々から使用履歴に関する使用履歴情報、複数の情報処理装置２０の各々を識別する情報処理装置識別情報（ＩＰアドレス  ＳＳＩＤ（Service  Set  Identifier）およびＭＡＣアドレス）、複数の情報取得装置３０の各々を識別する情報処理装置識別情報（ＩＰアドレス  ＳＳＩＤ（Service  Set  Identifier）およびＭＡＣアドレス）および複数の情報取得装置３０の各々の所有者を識別する所有者識別情報（所有者ＩＤ）を取得する。ここで、使用履歴情報とは、例えば情報取得装置３０用いて撮影された撮影のコマ数（フレーム数）、所有機器（後述する交換レンズやアクセサリー）の使用回数、撮影日時、情報取得装置３０の使用回数、撮影毎の撮影パラメータ、撮影毎の主要被写体、撮影毎の撮影シーンおよび撮影毎の撮影モードに基づくものである。なお、以下においては、複数の情報処理装置２０を識別する情報処理装置識別情報、複数の情報取得装置３０を識別する情報取得装置識別情報および携帯機器６０の各々を識別する携帯機器識別情報のいずれかを１つ以上を指す場合、単に機器識別情報という。
【００３３】
所有者判定部１５２は、サーバ１０に接続された複数の情報処理装置２０または複数の情報取得装置３０の所有者を判定する。具体的には、所有者判定部１５２は、サーバ１０に接続された機器の機器識別情報とレンタル情報記録部１３４が記録するレンタル情報に含まれる機器の機器識別情報とに基づいて、サーバ１０に接続された情報処理装置２０または情報取得装置３０の所有者を判定する。
【００３４】
使用状況予測部１５３は、使用履歴情報記録部１３１が記録する複数の使用履歴情報および識別情報記録部１３２が記録する複数の機器識別情報に基づいて、特定の日時における複数の情報取得装置３０の使用状況を予測する。また、使用状況予測部１５３は、使用履歴情報記録部１３１が記録する複数の使用履歴情報、識別情報記録部１３２が記録する複数の機器識別情報および所有機器情報記録部１３３が記録する複数の所有機器情報に基づいて、特定の日時における所有機器（後述する交換レンズまたはアクセサリー）の使用状況を予測する。
【００３５】
特定部１５４は、使用状況予測部１５３が予測した予測結果に基づいて、ネットワークＮ１００を介して接続された機器のうち特定の日時において不使用と予測される不使用の機器（以下、単に「不使用機器」という）を特定する。また、特定部１５４は、ネットワークＮ１００および第１通信部１１を介して接続された機器に対して後述するアドバイス情報を送信した機器からレンタルを要求するレンタル要求信号を受信した場合、レンタル情報記録部１３４に記録された複数のレンタル情報の中から特定の日時における不使用機器を特定する。
【００３６】
日時設定部１５５は、ネットワークＮ１００および第１通信部１１を介して接続された機器を介して、後述する賃貸者が入力した記入情報に基づいて、使用状況予測部１５３が各機器の使用状況を予測する特定の日時を設定する、または祝日を特定の日時に設定する。具体的には、日時設定部１５５は、ネットワークＮ１００および第１通信部１１を介して送信された記入情報に含まれる機器を賃貸する賃貸日時に基づいて、使用状況予測部１５３が各機器の使用状況を予測する日時を設定する。もちろん、分かりやすく祝日と書いたが、特定のイベントがある日や、記念日などを設定してもよい。具体的には、特定のイベントがある日として、誕生日、クリスマス、夏休み、お正月、入学式、卒業式、運動会、子供の日、敬老の日、ハロウィーン、復活祭等を設定してもよい。
【００３７】
検索部１５６は、画像データ記録部１２が記録する複数の画像データの中から所定の条件に一致する画像データを検索して機器に送信して閲覧するための検索条件と一致する画像データを検索する。ここで、検索条件とは、撮影条件、主要被写体、撮影した機器の名称（機器識別情報）、画像データに添付されたハッシュタグ（hashtag）、撮影日時および撮影場所等である。また、検索部１５６は、ネットワークＮ１００を介してサーバ１０に接続された機器が閲覧を所望する画像データを画像データ記録部１２が記録する複数の画像データから検索する。具体的には、検索部１５６は、ネットワークＮ１００を介してサーバ１０に接続された機器の識別情報および使用履歴に基づいて、機器が閲覧を所望する画像データを画像データ記録部１２が記録する複数の画像データから検索する。
【００３８】
アドバイス情報生成部１５７は、ネットワークＭ１００および第１通信部１１を介して接続された機器の使用履歴情報、機器識別情報および所有機器情報に基づいて、特定の日時における撮影時のアドバイス情報を生成する。ここで、アドバイス情報には、レンタル情報記録部１３４に登録され、特定の日時にお薦め機材として貸し出しすることができる不使用の情報取得装置３０または不使用の所有機器（後述する交換レンズ３２やアクセサリー３３）に関するレンタル情報と、不使用の情報取得装置３０または不使用の所有機器（後述する交換レンズ３２やアクセサリー３３）で撮影された画像データと、が含まれる。さらに、アドバイス情報生成部１５７は、後述する推奨機材判定部１６１によって判定された推奨機材に関する推奨機材情報を撮影時のアドバイス情報として生成する。例えば、アドバイス情報生成部１５７は、検索部１５６によって検索された画像データに対応する画像と、推奨機材情報と、を含むアドバイス情報を生成する。
【００３９】
送信制御部１５８は、第１通信部１１の送信を制御する。送信制御部１５８は、ネットワークＮ１００および第１通信部１１を介してサーバ１０に接続された複数の情報処理装置２０、複数の情報取得装置３０および携帯機器６０のいずれかに対して、第１通信部１１に画像データおよびプログラム等を送信させる。また、送信制御部１５８は、特定部１４５が特定した特定の日時において不使用機器に対して賃借者に貸し出すレンタルサービスの登録を促すレンタル登録情報を第１通信部１１に送信させる。
【００４０】
レンタル登録部１５９は、情報処理装置２０から入力された機器を貸し出す登録情報をレンタル情報記録部１３４に記録して登録する。
【００４１】
更新制御部１６０は、サーバ１０に接続された機器のプログラムに対して、プログラム記録部１４が記録する最新のプログラムを送信してサーバ１０に接続された機器のプログラムを更新する。
【００４２】
推奨機材判定部１６１は、レンタルサービス記録部１３が記録する複数の機材から検索部１５６の検索結果に基づいて、サーバ１０に接続された機器に対して使用を推奨する推奨機材を判定する。具体的には、推奨機材判定部１６１は、レンタルサービス記録部１３が記録する複数のレンタル情報から検索部１５６の検索結果に基づいて、サーバ１０に接続された機器に対して使用を推奨する推奨機材を判定する。
【００４３】
〔情報処理装置の構成〕
次に、情報処理装置２０の構成について説明する。
図３は、情報処理装置２０の機能構成を示すブロック図である。
図３に示す情報処理装置２０は、第２通信部２１と、接続部２２と、時計２３と、操作部２４と、表示部２５と、記録部２６と、第２制御部２７と、を備える。
【００４４】
第２通信部２１は、第２制御部２７の制御のもと、ネットワークＮ１００を介してサーバ１０と所定のプロトコルに従って双方向にデータ通信を行う。第２通信部２１は、通信モジュールを用いて構成される。第２通信部２１は、有線または無線によってサーバ１０とデータ通信を行う。
【００４５】
接続部２２は、図示しない通信ケーブル等を介して情報取得装置３０を接続し、所定のプロトコルに従って双方向にデータ通信を行う。なお、接続部２２は、無線によって情報取得装置３０と接続してもよい。
【００４６】
時計２３は、計時機能を有し、現在の日時を計時して日時情報を生成し、この日時情報を第２制御部２７へ出力する。
【００４７】
操作部２４は、情報処理装置２０に関する各種の動作を指示する指示信号の入力を受け付ける。操作部２４は、キーボード、タッチパネルおよびマウス等を用いて構成される。
【００４８】
表示部２５は、情報処理装置２０に関する各種情報、各アプリに対応する各種操作画面や画像を表示する。表示部２５は、液晶や有機ＥＬ（Electro  Luminescence）等の表示パネルを用いて構成される。
【００４９】
記録部２６は、ＨＤＤ等の揮発性メモリやＳＳＤの不揮発性メモリ等を用いて構成され、情報処理装置２０が実行する各種プログラムや処理中のデータを記録する。記録部２６は、情報処理装置２０が実行する各アプリのプログラムを記録するプログラム記録部２６１と、接続部２２を介して接続された情報取得装置３０の使用履歴に関する使用履歴情報を記録する使用履歴情報記録部２６２と、を有する。
【００５０】
第２制御部２７は、ＣＰＵ等を用いて構成され、情報処理装置２０を構成する各部を統括的に制御する。第２制御部２７は、通信制御部２７１と、記録制御部２７２と、表示制御部２７３と、を有する。
【００５１】
通信制御部２７１は、第２通信部２１を制御する。具体的には、通信制御部２７１は、ネットワークＮ１００を介してサーバ１０に対して画像データおよび使用履歴情報を第２通信部２１に送信させる。
【００５２】
記録制御部２７２は、接続部２２を介して接続された情報取得装置３０から入力された画像データおよび使用履歴情報を記録部２６に記録させる。
【００５３】
表示制御部２７３は、表示部２５の表示態様を制御する。具体的には、表示制御部２７３は、サーバ１０から送信された画像データ、プログラムのバージョンアップに関するバージョンアップ情報、撮影時におけるアドバイス情報、および他の所有者から機器をレンタルするレンタル情報等を表示部２５に表示させる。
【００５４】
〔情報取得装置の構成〕
次に、情報取得装置３０の構成について説明する。
図４は、情報取得装置３０の機能構成を示すブロック図である。
図４に示す情報取得装置３０は、本体部３１と、本体部３１に着脱自在であり、後述する本体部３１の撮像素子３０２上に被写体像を結像する交換レンズ３２と、本体部３１に着脱自在であり、光を発光するフラッシュや音声を取得するマイク等のアクセサリー３３と、を備える。なお、本実施の一実施の形態では、交換レンズ３２およびアクセサリー３３が所有者Ｕ１，Ｕ２が所有する所有機器として機能する。
【００５５】
まず、交換レンズ３２の構成について説明する。
交換レンズ３２は、本体部３１に着脱自在であり、後述する本体部３１の撮像素子３０２上に被写体像を結像する。交換レンズ３２は、本体部３１から入力される制御信号に基づいて駆動する。また、交換レンズ３２は、焦点距離を変更することができるズーム光学系および焦点距離が一定な単焦点光学系のどちらか一方を用いて構成される。交換レンズ３２は、交換レンズ情報記録部３２１を有する。また、所有者Ｕ１または所有者Ｕ２は、異なる種類の複数の交換レンズ３２を所有する。例えば、所有者Ｕ１は、焦点距離が異なる複数の交換レンズ３２を有する。
【００５６】
交換レンズ情報記録部３２１は、交換レンズ３２に関する光学情報および交換レンズ識別情報を記録する。ここで、光学情報には、少なくとも交換レンズ３２の焦点距離およびズーム機能の有無に関する情報が含まれる。また、交換レンズ識別情報には、交換レンズ３２を識別する交換レンズＩＤ情報および製造年月日が含まれる。交換レンズ情報記録部３２１は、Ｆｌａｓｈメモリ等を用いて構成される。
【００５７】
次に、アクセサリー３３の構成について説明する。
アクセサリー３３は、本体部３１から入力される制御信号に基づいて光を発光するフラッシュ、音声を取得するマイク、音声を記録するＩＣレコーダ、本体部３１で生成された画像データや動画データを記録するカムレコーダ、交換レンズ３２と焦点距離が異なり、画像データを取得するデジタルカメラやデジタルカムコーダ等のアクションカムおよびドットサイトのいずれか１つを用いて構成される。アクセサリー３３は、アクセサリー情報記録部３３１を有する。
【００５８】
アクセサリー情報記録部３３１は、アクセサリー３３に関するアクセサリー情報を記録する。ここで、アクセサリー情報には、少なくともアクセサリー３３の種類を識別するアクセサリー識別情報、アクセサリー３３で実行可能な機能およびアクセサリー３３を識別するアクセサリーＩＤ情報および製造月日が含まれる。
【００５９】
次に、本体部３１の構成について説明する。
本体部３１は、アクセサリー情報取得部３０１と、撮像素子３０２と、時計３０３と、姿勢検出部３０４と、位置検出部３０５と、方位検出部３０６と、第３通信部３０７と、操作部３０８と、表示部３０９と、タッチパネル３１０と、記録部３１１と、第３制御部３１２と、を備える。
【００６０】
アクセサリー情報取得部３０１は、本体部３１に装着された交換レンズ３２およびアクセサリー３３と双方向に通信を行い、交換レンズ３２から交換レンズ情報またはアクセサリー３３からアクセサリー情報を取得するとともに、第３制御部３１２からの制御信号を交換レンズ３２またはアクセサリー３３へ出力する。
【００６１】
撮像素子３０２は、交換レンズ３２が結像した被写体像を受光して画像データを生成して第３制御部３１２へ出力する。撮像素子３０２は、ＣＣＤ（Charge  Coupled  Device）やＣＭＯＳ（Complementary  Metal  Oxide  Semiconductor）等のイメージセンサおよびＡ／Ｄ変換回路を用いて構成される。
【００６２】
時計３０３は、計時機能を有し、現在の日時を計時して画像データの日時情報を生成し、この日時情報を第３制御部３１２へ出力する。
【００６３】
姿勢検出部３０４は、情報取得装置３０の姿勢を検出し、この検出結果を第３制御部３１２へ出力する。姿勢検出部３０４は、ジャイロセンサや加速度センサ等を用いて構成される。
【００６４】
位置検出部３０５は、地上の物体の位置を測位する測定手段であるＧＰＳ（Global  Positioning  System）を構成する複数のＧＰＳ衛星から送信されてくる衛星の軌道情報を受信し、この受信した軌道情報に基づいて、撮影時や画像再生時における情報取得装置３０の位置情報を検出し、この位置情報を第３制御部３１２へ出力する。ここで、位置情報は、経度、緯度および時刻情報である。位置検出部３０５は、ＧＰＳセンサ等を用いて構成される。
【００６５】
方位検出部３０６は、交換レンズ３２の光軸が略水平になる場合において、交換レンズ３２の光軸が視野領域を向いた方向を基準方位とした時の情報取得装置３０の方位を方位情報として検出し、この検出結果を第３制御部３１２へ出力する。具体的には、方位検出部３０６は、地磁気の垂直方向と水平方向の成分を検出し、北を基準とする基準方位と情報取得装置３０における交換レンズ３２の光軸とがなす角度を方位角として検出することによって、情報取得装置３０の方位を検出する。方位検出部３０６は、地磁気センサ等によって構成される。
【００６６】
第３通信部３０７は、第３制御部３１２の制御のもと、情報処理装置２０または携帯機器６０との間で通信を行い、各種のデータを所定のプロトコルに従って行う。第３通信部３０７は、有線または無線によって通信を行う。第３通信部３０７は、通信モジュール等を用いて構成される。
【００６７】
操作部３０８は、情報取得装置３０に関する各種の動作を指示する指示信号の入力を受け付ける。操作部３０８は、情報取得装置３０の電源状態をオン状態またはオフ状態に切り換える電源スイッチ、撮影の指示を与えるレリーズ信号の入力を受け付けるレリーズスイッチやモードを切り換えるモードスイッチ等を用いて構成される。
【００６８】
表示部３０９は、第３制御部３１２の制御のもと、撮像素子３０２が生成した画像データに対応する画像および情報取得装置３０に関する各種情報を表示する。表示部３０９は、液晶または有機ＥＬ等の表示パネルを用いて構成される。
【００６９】
タッチパネル３１０は、表示部３０９の表示画面上に重畳して設けられ、外部からの物体がタッチしたタッチ位置を検出し、この検出した位置に対応する指示信号を第３制御部３１２へ出力する。
【００７０】
記録部３１１は、揮発性メモリ、メモリカードおよびＳＳＤの不揮発性メモリ等を用いて構成され、情報取得装置３０が実行する各種プログラムや処理中のデータを記録する。記録部３１１は、情報取得装置３０が実行する各種プログラムを記録するプログラム記録部３１１ａと、画像データを記録する画像データ記録部３１１ｂと、情報取得装置３０を識別する情報取得装置識別情報を記録する識別情報記録部３１１ｃと、情報取得装置３０に格納された制御プログラムのバージョンを示すバージョン情報を記録するバージョン情報記録部３１１ｄと、本体部３１に接続された交換レンズ３２およびアクセサリー３３の所有者機器情報を記録する所有機器情報記録部３１１ｅと、を有する。
【００７１】
第３制御部３１２は、ＣＰＵ等を用いて構成され、情報取得装置３０を構成する各部を統括的に制御する。第３制御部３１２は、被写体判定部３１２ａと、操作履歴検出部３１２ｂと、撮影パラメータ検出部３１２ｃと、特定状況判定部３１２ｄと、シーン判定部３１２ｅと、通信制御部３１２ｆと、撮像制御部３１２ｇと、表示制御部３１２ｈと、記録制御部３１２ｉと、を有する。
【００７２】
被写体判定部３１２ａは、撮像素子３０２が生成した画像データに基づいて、情報取得装置３０が撮像した主要被写体を判定する。具体的には、被写体判定部３１２ａは、撮像素子３０２が生成した画像データに対応する画像に対して、周知のパターンマッチングや特徴量を検出する画像処理を用いて情報取得装置３０が撮像した主要被写体を判定する。
【００７３】
操作履歴検出部３１２ｂは、操作部３０８およびタッチパネル３１０に対する所有者の操作を検出する。例えば、操作履歴検出部３１２ｂは、撮影時における操作部３０８の押圧回数やモード切換等を検出する。
【００７４】
撮影パラメータ検出部３１２ｃは、操作部３０８およびタッチパネル３１０を介して操作された交換レンズ３２および撮像素子３０２の撮影パラメータを検出する。
【００７５】
特定状況判定部３１２ｄは、本体部３１に接続された交換レンズ３２およびアクセサリー３３が特定状況であるか否かを判定する。
【００７６】
シーン判定部３１２ｅは、撮像素子３０２が生成した画像データに基づいて、情報取得装置３０が撮像した撮影シーンを判定する。
【００７７】
通信制御部３１２ｆは、第３通信部３０７を制御する。具体的には、通信制御部３１２ｆは、情報処理装置２０に対して画像データや操作履歴等を第３通信部３０７に送信させる。
【００７８】
撮像制御部３１２ｇは、撮像素子３０２および交換レンズ３２の駆動を制御する。例えば、撮像制御部３１２ｇは、撮像素子３０２が生成した画像データに基づいて、交換レンズ３２の光学系を駆動させてＡＦ処理や適正露出になるようにＡＥ処理を行う。
【００７９】
表示制御部３１２ｈは、表示部３０９の表示態様を制御する。また、表示制御部３１２ｈは、撮像素子３０２が生成した画像データに対応するライブビュー画像を表示部３０９に表示させる。
【００８０】
記録制御部３１２ｉは、撮像素子３０２が生成した画像データを画像データ記録部３１１ｂに記録する。
【００８１】
〔携帯機器の構成〕
次に、携帯機器６０の構成について説明する。
図５は、携帯機器６０の機能構成を示すブロック図である。
図５に示す携帯機器６０は、撮像部６１と、時計６２と、姿勢検出部６３と、位置検出部６４と、方位検出部６５と、第４通信部６６と、操作部６７と、表示部６８と、タッチパネル６９と、記録部７０と、第４制御部７１と、を備える。
【００８２】
撮像部６１は、被写体を撮像して画像データを生成し、この画像データを第４制御部７１へ出力する。撮像部６１は、被写体像を結像する光学系と、この光学系が結像した被写体像を受光して画像データを生成するＣＣＤやＣＭＯＳ等の撮像素子と、画像データに対してＡ／Ｄ変換処理を行ってデジタルの画像データに変換して出力するＡ／Ｄ変換回路と、を用いて構成される。
【００８３】
時計６２は、計時機能を有し、現在の日時を計時して画像データの日時情報を生成し、この日時情報を第４制御部７１へ出力する。
【００８４】
姿勢検出部６３は、携帯機器６０の姿勢を検出し、この検出結果を第４制御部７１へ出力する。姿勢検出部６３は、ジャイロセンサや加速度センサ等を用いて構成される。
【００８５】
位置検出部６４は、地上の物体の位置を測位する測定手段であるＧＰＳを構成する複数のＧＰＳ衛星から送信されてくる衛星の軌道情報を受信し、この受信した軌道情報に基づいて、撮影時や画像再生時における携帯機器６０の位置情報を検出し、この位置情報を第４制御部７１へ出力する。ここで、位置情報は、経度、緯度および時刻情報である。
【００８６】
方位検出部６５は、撮像部６１の光軸が略水平になる場合において、撮像部６１の光軸が視野領域を向いた方向を基準方位とした時の携帯機器６０の方位を方位情報として検出し、この検出結果を第４制御部７１へ出力する。方位検出部６５は、地磁気センサ等によって構成される。
【００８７】
第４通信部６６は、第４制御部７１の制御のもと、情報処理装置２０または情報取得装置３０との間で通信を行い、各種のデータを所定のプロトコルに従って行う。第４通信部６６は、有線または無線によって通信を行う。第４通信部６６は、通信モジュール等を用いて構成される。
【００８８】
操作部６７は、携帯機器６０に関する各種の動作を指示する指示信号の入力を受け付ける。操作部６７は、携帯機器６０の電源状態をオン状態またはオフ状態に切り換える電源スイッチおよび撮影の指示を与えるレリーズ信号の入力を受け付けるレリーズスイッチ等を用いて構成される。
【００８９】
表示部６８は、第４制御部７１の制御のもと、撮像部６１が生成した画像データに対応する画像および携帯機器６０に関する各種情報を表示する。表示部６８は、液晶や有機ＥＬ等の表示パネルを用いて構成される。
【００９０】
タッチパネル６９は、表示部６８の表示画面上に重畳して設けられ、外部からの物体がタッチしたタッチ位置を検出し、この検出した位置に対応する指示信号を第４制御部７１へ出力する。
【００９１】
記録部７０は、揮発性メモリやＳＳＤの不揮発性メモリ等を用いて構成され、携帯機器６０が実行する各種プログラムや処理中のデータや携帯機器６０を識別する携帯機器識別情報等を記録する。記録部７０は、携帯機器６０が実行するプログラムを記録するプログラム記録部７０１と、画像データを記録する画像データ記録部７０２と、を有する。
【００９２】
第４制御部７１は、ＣＰＵ等を用いて構成され、携帯機器６０を構成する各部を統括的に制御する。第４制御部７１は、通信制御部７１１と、撮像制御部７１２と、表示制御部７１３と、記録制御部７１４と、を備える。
【００９３】
通信制御部７１１は、第４通信部６６を制御する。具体的には、通信制御部７１１は、サーバ１０に対して操作部６７から入力された検索条件を第４通信部６６に送信させる。
【００９４】
撮像制御部７１２は、撮像部６１の駆動を制御する。具体的には、撮像制御部７１２は、撮像部６１に撮影を実行させる。
【００９５】
表示制御部７１３は、表示部６８の表示態様を制御する。表示制御部７１３は、撮像部６１が生成した画像データに対応する画像またはサーバ１０から送信された画像データに対応する画像等を表示部６８に表示させる。
【００９６】
記録制御部７１４は、撮像部６１が生成した画像データを画像データ記録部７０２に記録させる。
【００９７】
〔画像共有システムを構成する各機器の処理〕
次に、画像共有システム１を構成する各機器の処理について説明する。以下においては、情報取得装置３０、情報処理装置２０、携帯機器６０およびサーバ１０の順で説明する。また、以下においては、所有者Ｕ１が所有者Ｕ２から機器をレンタルした場合について説明する。
【００９８】
〔情報取得装置の処理〕
まず、情報取得装置３０の処理について説明する。
図６は、情報取得装置３０が実行する処理の概要を示すフローチャートである。
【００９９】
図６に示すように、まず、本体部３１に、少なくとも交換レンズ３２およびアクセサリー３３のどちらか一方が接続された場合（ステップＳ１０１：Ｙｅｓ）、アクセサリー情報取得部３０１は、本体部３１に接続された交換レンズ３２から交換レンズ情報およびアクセサリー３３からアクセサリー情報を取得する（ステップＳ１０２）。この場合、交換レンズ情報およびアクセサリー情報は、記録部３１１に仮記録される。ステップＳ１０２の後、情報取得装置３０は、後述するステップＳ１０３へ移行する。
【０１００】
ステップＳ１０１において、本体部３１に、少なくとも交換レンズ３２およびアクセサリー３３のどちらか一方が接続されていない場合（ステップＳ１０１：Ｎｏ）、情報取得装置３０は、後述するステップＳ１０３へ移行する。
【０１０１】
ステップＳ１０３において、特定状況判定部３１２ｄは、アクセサリー情報取得部３０１が取得した交換レンズ情報およびアクセサリー情報に基づいて、本体部３１に接続された交換レンズ３２およびアクセサリー３３が特定状況であるか否かを判定する。具体的には、特定状況判定部３１２ｄは、アクセサリー情報取得部３０１が取得した交換レンズ情報およびアクセサリー情報に基づいて、少なくとも交換レンズ３２およびアクセサリー３３のどちらか一方が本体部３１の所有者Ｕ１と異なる他の所有者からレンタルした機器であるか否かを特定状況として判定する。例えば、特定状況判定部３１２ｄは、記録部３１１に記録された所有機器情報記録部３１１ｅに記録された交換レンズ情報またはアクセサリー情報と、アクセサリー情報取得部３０１が取得した交換レンズ情報またはアクセサリー情報が一致するか否かを判定し、一致しない場合、レンタルした機器である特定状況であると判定する。特定状況判定部３１２ｄによって本体部３１に接続された交換レンズ３２およびアクセサリー３３が特定状況であると判定された場合（ステップＳ１０３：Ｙｅｓ）、表示制御部３１２ｈは、交換レンズ３２およびアクセサリー３３が使用機能、使用方法および使用場所等のレンタル条件が設定されている特定状況である旨の警告を表示部３０９に表示させる（ステップＳ１０４）。これにより、本体部３１の所有者Ｕ１は、交換レンズ３２またはアクセサリー３３がレンタルされた機器であることを認識しながら撮影に望むことができる。ステップＳ１０４の後、情報取得装置３０は、後述するステップＳ１０５へ移行する。
【０１０２】
ステップＳ１０３において、特定状況判定部３１２ｄによって本体部３１に接続された交換レンズ３２およびアクセサリー３３が特定状況でないと判定された場合（ステップＳ１０３：Ｎｏ）、情報取得装置３０は、後述するステップＳ１０５へ移行する。
【０１０３】
ステップＳ１０５において、情報取得装置３０が撮影モードに設定されている場合（ステップＳ１０５：Ｙｅｓ）、撮像制御部３１２ｇは、撮像素子３０２に撮像させ（ステップＳ１０６）、表示制御部３１２ｈは、撮像素子３０２によって生成された画像データに対応するライブビュー画像を表示部３０９に表示させる（ステップＳ１０７）。
【０１０４】
続いて、操作部３０８が操作された場合（ステップＳ１０８：Ｙｅｓ）、情報取得装置３０は、後述するステップＳ１０９へ移行する。これに対して、操作部３０８が操作されていない場合（ステップＳ１０８：Ｎｏ）、情報取得装置３０は、後述するステップＳ１１３へ移行する。
【０１０５】
ステップＳ１０９において、特定状況判定部３１２ｄは、レンタル条件に基づいて、所有者Ｕ１の操作が特定状況の操作であるか否かを判定する。具体的には、特定状況判定部３１２ｄは、所有者Ｕ１の操作がレンタル条件に含まれる禁止行為（禁止操作）、使用禁止場所および禁止機能のいずれかであるか否かを判定する。より具体的には、特定状況判定部３１２ｄは、所有者Ｕ１の操作が禁止行為である乱暴なパン操作や使用禁止場所での操作であるか否かを判定する。例えば、特定状況判定部３１２ｄは、所有者Ｕ１のパン操作によって姿勢検出部３０４が検出する加速度が所定の閾値以上であるか否かを判定したり（禁止行為）、交換レンズ３２のピント位置をマニュアルで調整する操作であるか否かを判定したり（禁止機能）、フラッシュの連続発光を指示する操作であるか否かを判定したり（禁止機能）、マイクの指向性を調整する操作であるか否かを判定したり（禁止行為）、位置検出部３０５によって検出された位置情報が使用禁止場所であるか否かを判定したりする。特定状況判定部３１２ｄによって操作部３０８の操作が特定状況の操作であると判定された場合（ステップＳ１０９：Ｙｅｓ）、撮像制御部３１２ｇは、操作部３０８の操作に応じた動作を無効化するとともに、表示制御部３１２ｈは、操作部３０８の操作がレンタル条件で禁止されている操作である旨の警告を表示部３０９に表示させる（ステップＳ１１０）。ステップＳ１１０の後、情報取得装置３０は、後述するステップＳ１１１へ移行する。
【０１０６】
ステップＳ１０９において、特定状況判定部３１２ｄによって操作部３０８の操作が特定状況の操作でないと判定された場合（ステップＳ１０９：Ｎｏ）、情報取得装置３０は、後述するステップＳ１１１へ移行する。
【０１０７】
ステップＳ１１１において、記録制御部３１２ｉは、操作部３０８の操作に応じて変更された情報取得装置３０のモードおよび撮影パラメータを記録部３１１に使用履歴として仮記録させる。
【０１０８】
続いて、操作履歴検出部３１２ｂは、記録部３１１に仮記録された情報取得装置３０のモードおよび撮影パラメータに基づいて、本体部３１の所有者Ｕ１の操作の癖を判定する（ステップＳ１１２）。この場合、操作履歴検出部３１２ｂは、所有者Ｕ１の操作の癖を記録部３１１に使用履歴として仮記録する。ステップＳ１１２の後、情報取得装置３０は、後述するステップＳ１１５へ移行する。
【０１０９】
ステップＳ１１３において、被写体判定部３１２ａは、撮像素子３０２が生成した画像データに基づいて主要被写体を判定するとともに、シーン判定部３１２ｅは、撮像素子３０２が生成した画像データに基づいて、情報取得装置３０が撮影した際の撮影パラメータを検出する。
【０１１０】
続いて、撮像制御部３１２ｇは、撮像素子３０２が生成した画像データに基づいて、ＡＥ処理およびＡＦ処理を実行する（ステップＳ１１４）。この場合、撮像制御部３１２ｇは、撮像素子３０２に位相差画素が配置されている場合、この位相差画素の画素値に基づいて位相差ＡＦ処理を行ってもよいし、既知のコントラストＡＦ処理を行ってもよい。もちろん、位相差ＡＦ処理およびコントラストＡＦ処理を組み合わせたＡＦ処理を行ってもよい。ステップＳ１１４の後、情報取得装置３０は、後述するステップＳ１１５へ移行する。
【０１１１】
ステップＳ１１５において、特定状況判定部３１２ｄは、アクセサリー情報取得部３０１が取得した交換レンズ情報およびアクセサリー情報に基づいて、交換レンズ３２およびアクセサリー３３が特定状況であるか否かを判定する。特定状況判定部３１２ｄによって交換レンズ３２およびアクセサリー３３が特定状況であると判定された場合（ステップＳ１１５：Ｙｅｓ）、表示制御部３１２ｈは、特定状況に対応するＵＩ（User  Interface）を表示部３０９に表示させる（ステップＳ１１６）。具体的には、表示制御部３１２ｈは、交換レンズ３２またはアクセサリー３３において使用できる機能が制限されたＵＩを表示部３０９に表示させる。ステップＳ１１６の後、情報取得装置３０は、後述するステップＳ１１７へ移行する。
【０１１２】
続いて、操作部３０８から撮影を指示する指示信号が入力された場合（ステップＳ１１７：Ｙｅｓ）、撮像制御部３１２ｇは、撮像素子３０２に撮影を実行させる（ステップＳ１１８）。
【０１１３】
その後、記録制御部３１２ｉは、撮像素子３０２が生成した画像データと情報取得装置３０の撮影時における撮影パラメータとを対応付けた画像ファイルを生成して画像データ記録部３１１ｂに記録する（ステップＳ１１９）。
【０１１４】
続いて、表示制御部３１２ｈは、撮像素子３０２が生成した画像データに対応する画像を所定時間（例えば３秒）だけ表示部３０９に表示させる確認表示を行う（ステップＳ１２０）。
【０１１５】
その後、操作部３０８から終了を指示する指示信号が入力された場合（ステップＳ１２１：Ｙｅｓ）、情報取得装置３０は、本処理を終了する。
【０１１６】
ステップＳ１２１において、操作部３０８から終了を指示する指示信号が入力されていない場合（ステップＳ１２１：Ｎｏ）、情報取得装置３０は、上述したステップＳ１０５へ戻る。
【０１１７】
ステップＳ１１５において、特定状況判定部３１２ｄによって交換レンズ３２およびアクセサリー３３が特定状況でないと判定された場合（ステップＳ１１５：Ｎｏ）、情報取得装置３０は、ステップＳ１１７へ移行する。
【０１１８】
ステップＳ１１７において、操作部３０８から撮影を指示する指示信号が入力されていない場合（ステップＳ１１７：Ｎｏ）、情報取得装置３０は、ステップＳ１２１へ移行する。
【０１１９】
ステップＳ１０５において、情報取得装置３０が撮影モードに設定されていない場合（ステップＳ１０５：Ｎｏ）、情報取得装置３０は、後述するステップＳ１２２へ移行する。
【０１２０】
続いて、情報取得装置３０が再生モードに設定されている場合（ステップＳ１２２：Ｙｅｓ）、画像データ記録部３１１ｂに記録された複数の画像データに対応する複数の画像を表示部３０９に一覧表示させる（ステップＳ１２３）。
【０１２１】
その後、操作部３０８を介して表示部３０９が一覧表示する複数の画像の中から画像が選択された場合（ステップＳ１２４：Ｙｅｓ）、表示制御部３１２ｈは、選択された画像を表示部３０９に全画面表示させて再生させる（ステップＳ１２５）。
【０１２２】
続いて、操作部３０８から表示部３０９が表示する画像を送信する指示信号が入力された場合（ステップＳ１２６：Ｙｅｓ）、通信制御部３１２ｆは、第３通信部３０７に操作部３０８から入力された指示信号に応じた画像データを情報処理装置２０またはサーバ１０へ送信させる（ステップＳ１２７）。
【０１２３】
その後、操作部３０８から再生モードを終了する指示信号が入力された場合（ステップＳ１２８：Ｙｅｓ）、情報取得装置３０は、ステップＳ１２１へ移行する。これに対して、操作部３０８から再生モードを終了する指示信号が入力されていない場合（ステップＳ１２８：Ｎｏ）、情報取得装置３０は、上述したステップＳ１２４へ戻る。
【０１２４】
ステップＳ１２４において、操作部３０８を介して表示部３０９が一覧表示する複数の画像の中から画像が選択されていない場合（ステップＳ１２４：Ｎｏ）、情報取得装置３０は、ステップＳ１２６へ移行する。
【０１２５】
ステップＳ１２６において、操作部３０８から表示部３０９が表示する画像を送信する指示信号が入力されていない場合（ステップＳ１２６：Ｎｏ）、情報取得装置３０は、ステップＳ１２８へ移行する。
【０１２６】
ステップＳ１２２において、情報取得装置３０が再生モードに設定されていない場合（ステップＳ１２２：Ｎｏ）、情報取得装置３０は、後述するステップＳ１２９へ移行する。
【０１２７】
続いて、情報取得装置３０が送信モードに設定されている場合（ステップＳ１２９：Ｙｅｓ）、情報取得装置３０は、後述するステップＳ１３０へ移行する。
【０１２８】
その後、通信制御部３１２ｋは、第３通信部３０７に送信データを情報処理装置２０またはサーバ１０へ送信させる（ステップＳ１３０）。ここで、送信データには、画像データや情報取得装置３０を用いて撮影された所有者Ｕ１の使用履歴情報、所有者Ｕ１の操作の癖および情報取得装置３０を識別する情報取得装置識別情報および情報取得装置３０で実行されるプログラムのバージョン情報等が含まれる。ステップＳ１３０の後、情報取得装置３０は、ステップＳ１２１へ移行する。
【０１２９】
ステップＳ１２９において、情報取得装置３０が送信モードに設定されていない場合（ステップＳ１２９：Ｎｏ）、情報取得装置３０は、後述するステップＳ１３１へ移行する。
【０１３０】
続いて、情報取得装置３０がバージョンアップモードに設定されている場合（ステップＳ１３１：Ｙｅｓ）、第３制御部３１２は、第３通信部３０７および情報処理装置２０を介してサーバ１０から入力されたバージョンアップのためのプログラムに基づいて、情報取得装置３０が記録するプログラムのバージョンアップ処理を実行してプログラム記録部３１１ａが記録するプログラムを更新して記録する（ステップＳ１３２）。ステップＳ１３２の後、情報取得装置３０は、ステップＳ１２１へ移行する。
【０１３１】
ステップＳ１３１において、情報取得装置３０がバージョンアップモードに設定されていない場合（ステップＳ１３１：Ｎｏ）、情報取得装置３０は、ステップＳ１２１へ移行する。
【０１３２】
〔情報処理装置の処理〕
次に、情報処理装置２０が実行する処理について説明する。
図７は、情報処理装置２０が実行する処理の概要を示すフローチャートである。
【０１３３】
図７に示すように、まず、接続部２２に情報取得装置３０が接続されている場合（ステップＳ２０１：Ｙｅｓ）、表示制御部２７３は、情報取得装置３０が撮像した画像データの画像パラメータを変更する画像処理や情報取得装置３０のプログラムのバージョンアップ等を行うための専用操作画面を表示部２５に表示させる（ステップＳ２０２）。
【０１３４】
続いて、第２制御部２７は、接続部２２を介して情報処理装置２０に接続された情報取得装置３０から画像データと使用履歴情報を取得する（ステップＳ２０３）。
【０１３５】
図８は、使用履歴情報の一例を示す模式図である。図８の（ａ）は、例えば所有者Ｕ１（イベント集中型，旅行）の使用履歴を模式的に示す図であり、図８の（ｂ）が例えば所有者Ｕ２（日常使い型，ＳＮＳ発信型）の使用履歴を模式的に示す図である。図８において、横軸が日時を示し、縦軸が撮影コマ数を示す。なお、図８においては、使用履歴の説明を簡略化するため、撮影コマ数のみ説明するが、所有機材（交換レンズ３２やアクセサリー３３）の使用回数、撮影パラメータ、主要被写体および撮影シーンが含まれる。
【０１３６】
図８の（ａ）に示すように、イベント集中型の所有者Ｕ１は、所定のイベント時に、情報取得装置３０Ａを用いて所定のコマ数を撮影するが（例えばクリスマス等）、イベントがない時に、情報取得装置３０Ａをほとんど使用していない。これに対して、図８の（ｂ）に示すように、ＳＮＳ発信型の所有者Ｕ２は、常に情報取得装置３０Ｂを用いて所定のコマ数を撮影している。このように第２制御部２７は、使用履歴情報に基づいて、所有者または情報取得装置３０Ａの使用状況を記録部２６の使用履歴情報記録部２６２に蓄積することができる。
【０１３７】
図７に戻り、ステップＳ２０４以降の説明を続ける。
ステップＳ２０４において、サーバ１０からプログラムのバージョンアップ情報を受信した場合（ステップＳ２０４：Ｙｅｓ）、表示制御部２７３は、プログラムのバージョンアップがある旨のバージョンアップ情報を表示部２５に表示させる（ステップＳ２０５）。具体的には、図９に示すように、表示制御部２７３は、プログラムのバージョンアップがある旨のバージョンアップ情報に対応する更新情報有りのメッセージＷ１を表示部２５に表示させる。これにより、所有者は、プログラムの更新タイミングを直感的に把握することができる。
【０１３８】
続いて、操作部２４からプログラムのバージョンアップを更新する指示信号が入力された場合（ステップＳ２０６：Ｙｅｓ）、表示制御部２７３は、少なくとも使用履歴情報をサーバ１０へ送信する旨の同意を得るための同意書を表示部２５に表示させる（ステップＳ２０７）。ここで、同意書とは、個人情報の利用目的、個人情報の第三者への提供および個人情報の開示請求に対して同意を得るためのテンプレートである。
【０１３９】
その後、操作部２４から使用履歴情報をサーバ１０へ送信する旨の同意を指示する指示信号が入力された場合（ステップＳ２０８：Ｙｅｓ）、通信制御部２７１は、上述したステップＳ２０３で情報取得装置３０から取得した使用履歴情報等を第２通信部２１に送信させる（ステップＳ２０９）。ステップＳ２０９の後、情報処理装置２０は、後述するステップＳ２１０へ移行する。
【０１４０】
ステップＳ２０８において、操作部２４から使用履歴情報をサーバ１０へ送信する旨の同意を指示する指示信号が入力されていない場合（ステップＳ２０８：Ｎｏ）、情報処理装置２０は、後述するステップＳ２１０へ移行する。
【０１４１】
ステップＳ２１０において、記録制御部２７２は、少なくとも記録部２６に記録されたプログラムのバージョンアップおよび接続部２２に接続された情報取得装置３０のプログラムのバージョンアップの一方を行うバージョンアップ処理を実行する。
【０１４２】
続いて、操作部２４から情報処理装置２０の電源をオフにする指示信号が入力された場合（ステップＳ２１１：Ｙｅｓ）、情報処理装置２０は、本処理を終了する。これに対して、操作部２４から情報処理装置２０の電源をオフにする指示信号が入力されていない場合（ステップＳ２１１：Ｎｏ）、情報処理装置２０は、ステップＳ２０１へ戻る。
【０１４３】
ステップＳ２０４において、サーバ１０からプログラムのバージョンアップ情報を受信していない場合（ステップＳ２０４：Ｎｏ）、情報処理装置２０は、後述するステップＳ２１２へ移行する。
【０１４４】
ステップＳ２０６において、操作部２４からプログラムのバージョンアップを更新する指示信号が入力されていない場合（ステップＳ２０６：Ｎｏ）、情報処理装置２０は、後述するステップＳ２１２へ移行する。
【０１４５】
ステップＳ２１２において、ネットワークＮ１００および第２通信部２１を介して画像データをサーバ１０へ送信して他の所有者と共有するネット連携を行う場合（ステップＳ２１２：Ｙｅｓ）、情報処理装置２０は、後述するステップＳ２１３へ移行する。これに対して、ネットワークＮ１００および第２通信部２１を介して画像データをサーバ１０へ送信して他の所有者と共有するネット連携を行わない場合（ステップＳ２１２：Ｎｏ）、情報処理装置２０は、後述するステップＳ２２０へ移行する。
【０１４６】
ステップＳ２１３において、表示制御部２７３は、少なくとも使用履歴情報等をサーバ１０へ送信する旨の同意を得るための同意書を表示部２５に表示させる。
【０１４７】
続いて、操作部２４から使用履歴情報をサーバ１０へ送信する旨の同意を指示する指示信号が入力された場合（ステップＳ２１４：Ｙｅｓ）、通信制御部２７１は、上述したステップＳ２０３で情報取得装置３０から取得した使用履歴情報等を第２通信部２１に送信させる（ステップＳ２１５）。ステップＳ２１５の後、情報処理装置２０は、後述するステップＳ２１６へ移行する。
【０１４８】
ステップＳ２１４において、操作部２４から使用履歴情報をサーバ１０へ送信する旨の同意を指示する指示信号が入力されていない場合（ステップＳ２１４：Ｎｏ）、情報処理装置２０は、後述するステップＳ２１６へ移行する。
【０１４９】
ステップＳ２１６において、操作部２４から画像データをサーバ１０へ送信する指示信号が入力された場合（ステップＳ２１６：Ｙｅｓ）、通信制御部２７１は、画像データを第２通信部２１に送信させる（ステップＳ２１７）。
【０１５０】
続いて、操作部２４からネット連携を終了する指示信号が入力された場合（ステップＳ２１８：Ｙｅｓ）、情報処理装置２０は、ステップＳ２１１へ移行する。これに対して、操作部２４からネット連携を終了する指示信号が入力されていない場合（ステップＳ２１８：Ｎｏ）、情報処理装置２０は、ステップＳ２１６へ戻る。
【０１５１】
ステップＳ２１６において、操作部２４から画像データをサーバ１０へ送信する指示信号が入力されていない場合（ステップＳ２１６：Ｎｏ）、情報処理装置２０は、後述するステップＳ２１９へ移行する。
【０１５２】
続いて、情報処理装置２０は、サーバ１０から送信されたアドバイス情報またはレンタルの登録を促すレンタル登録情報に応じた処理を行うアドバイスレンタル受信処理を実行する（ステップＳ２１９）。ステップＳ２１９の後、情報処理装置２０は、ステップＳ２１８へ移行する。
【０１５３】
〔アドバイスレンタル受信処理〕
図１０は、図７のステップＳ２１９のアドバイスレンタル受信処理の概要を示すフローチャートである。
【０１５４】
図１０に示すように、まず、第２通信部２１を介してサーバ１０からレンタルサービスの登録を促すレンタル登録情報を受信した場合（ステップＳ３０１：Ｙｅｓ）、情報処理装置２０は、後述するステップＳ３０２へ移行する。この場合、表示制御部２７３は、レンタル登録情報を表示部２５に表示させる。これにより、所有者Ｕ１は、レンタルサービスの存在を把握することができる。この結果、所有者が所有する機器に対してレンタルサービスの登録を促すことができる。これに対して、第２通信部２１を介してサーバ１０からレンタル登録情報を受信していない場合（ステップＳ３０１：Ｎｏ）、情報処理装置２０は、後述するステップＳ３０７へ移行する。
【０１５５】
ステップＳ３０２において、操作部２４からレンタル登録を指示する指示信号が入力された場合（ステップＳ３０２：Ｙｅｓ）、情報処理装置２０は、後述するステップＳ３０３へ移行する。この場合、通信制御部２７１は、サーバ１０に対してレンタル登録を指示する指示信号を第２通信部２１に送信させる。これに対して、操作部２４からレンタル登録を指示する指示信号が入力されていない場合（ステップＳ３０２：Ｎｏ）、情報処理装置２０は、後述するステップＳ３０７へ移行する。
【０１５６】
ステップＳ３０３において、ネットワークＮ１００および第２通信部２１を介してサーバ１０からレンタルサービスに登録するための登録テンプレートを受信した場合（ステップＳ３０３：Ｙｅｓ）、表示制御部２７３は、登録テンプレートを表示部２５に表示させる（ステップＳ３０４）。
【０１５７】
続いて、第２制御部２７は、操作部２４から入力された指示信号に基づいて、登録テンプレートにおける登録情報の入力を行う（ステップＳ３０５）。ここで、登録情報には、貸し出す機器（情報取得装置３０、交換レンズ３２およびアクセサリー３３等）、貸し出す機器の機器識別情報（情報取得装置３０を識別する情報取得識別情報、交換レンズ３２またはアクセサリー３３を識別する所有機器識別情報）、所有者を識別する所有者識別情報、貸し出すための貸し出し条件、貸し出すための機器を預けるため仲介場所情報、貸し出し日時および貸し出し期間が含まれる。さらに、貸し出し条件には、貸し出し時の機器の禁止行為（激しい操作禁止）、使用禁止場所、禁止機能（ピント位置の調整を禁止）および貸し出し要件（例えばクリーニング後に返却）が含まれる。さらにまた、仲介場所情報には、仲介場所（例えばコンビニエンスストアの場所や社名）、仲介業者（例えば宅配会社の種別）および賃貸者への仲介場所への送信方法が含まれる。
【０１５８】
その後、通信制御部２７１は、サーバ１０に対して上述したステップＳ３０５で入力された登録情報を第２通信部２１に送信させる（ステップＳ３０６）。ステップＳ３０６の後、情報処理装置２０は、後述するステップＳ３０７へ移行する。
【０１５９】
ステップＳ３０３において、ネットワークＮ１００および第２通信部２１を介してサーバ１０からレンタルサービスに登録するための登録テンプレートを受信していない場合（ステップＳ３０３：Ｎｏ）、情報処理装置２０は、登録テンプレートを受信するまで待機する。
【０１６０】
ステップＳ３０７において、ネットワークＮ１００および第２通信部２１を介してサーバ１０からアドバイス情報を受信した場合（ステップＳ３０７：Ｙｅｓ）、表示制御部２７３は、情報処理装置２０に接続された情報取得装置３０の使用履歴に基づくアドバイス情報を表示部２５に表示させる（ステップＳ３０８）。具体的には、図１１に示すように、表示制御部２７３は、イベントＥ１および日時Ｔ１（１０月４日）に基づいてサーバ１０から送信されたアドバイス情報Ａ１を表示部２５に表示させる。この場合において、表示制御部２７３は、所有者Ｕ１が操作部２４を介してアドバイス情報Ａ１のアドバイスＷ２を選択したとき、図１２に示すように、アドバイス情報Ａ１に含まれる、お薦め機材によって撮影された画像データに対応する画像Ｐ１と、お薦め機材に関する機材情報Ａ２と、を表示部２５に表示させる。これにより、所有者Ｕ１に対して、お薦め機材の購買意欲を促進させることができる。さらに、サーバ１０は、所有者Ｕ１に対して、所有者Ｕ１が所有しない機材で撮影できること画像データを用いて撮影時のアドバイスを行うことができる。
【０１６１】
続いて、操作部２４からアドバイス情報に基づく機器のレンタルを要求する指示信号が入力された場合（ステップＳ３０９：Ｙｅｓ）、通信制御部２７１は、サーバ１０に対してレンタル要求信号を第２通信部２１に送信させる（ステップＳ３１０）。具体的には、所有者Ｕ１は、操作部２４を介してお薦め機材に関する機材情報Ａ２を選択する。
【０１６２】
その後、ネットワークＮ１００および第２通信部２１を介してサーバ１０が使用履歴に基づいてお薦めするお薦め機材をレンタルするための記入テンプレートを受信した場合（ステップＳ３１１：Ｙｅｓ）、表示制御部２７３は、記入テンプレートを表示部２５に表示させる（ステップＳ３１２）。ここで、記入テンプレートには、少なくとも賃貸者である情報処理装置２０の所有者Ｕ１の氏名、住所、電話、お薦め機材（貸し出しを希望する機器）、特定の日時である賃貸日時および賃貸期間が含まれる。
【０１６３】
続いて、通信制御部２７１は、操作部２４を介して記入テンプレートに記入された記入情報をサーバ１０に向けて第２通信部２１に送信させる（ステップＳ３１３）。
【０１６４】
その後、サーバ１０からレンタル情報を受信した場合（ステップＳ３１４：Ｙｅｓ）、表示制御部２７３は、レンタル情報を表示部２５に表示させる（ステップＳ３１５）。ステップＳ３１５の後、情報処理装置２０は、図７のメインルーチンへ戻る。ここで、レンタル情報には、少なくとも記入テンプレートで指定した特定の日時における貸し出し可能な機器の有無情報、借りるための賃貸条件、借りるための賃貸仲介場所情報、賃貸期間が含まれる。さらに、賃貸条件には、賃貸する機器の禁止行為（激しい操作禁止）、使用禁止場所、禁止機能（ピント位置の調整を禁止）および賃貸要件（例えばクリーニング後に返却）が含まれる。さらに、賃貸仲介場所情報には、仲介場所（例えばコンビニエンスストアの場所や社名）、仲介業者（例えば宅配会社の種別）および返却時の仲介場所への送信方法が含まれる。
【０１６５】
ステップＳ３０７において、ネットワークＮ１００および第２通信部２１を介してサーバ１０からアドバイス情報を受信していない場合（ステップＳ３０７：Ｎｏ）、情報処理装置２０は、図７のメインルーチンへ戻る。
【０１６６】
ステップＳ３０９において、操作部２４からアドバイス情報に基づく機器のレンタルを要求する指示信号が入力されていない場合（ステップＳ３０９：Ｎｏ）、情報処理装置２０は、図７のメインルーチンへ戻る。
【０１６７】
ステップＳ３１１において、ネットワークＮ１００および第２通信部２１を介して記入テンプレートを受信した場合（ステップＳ３１１：Ｙｅｓ）、情報処理装置２０は、上述したステップＳ３１０へ戻る。
【０１６８】
ステップＳ３１４において、ネットワークＮ１００および第２通信部２１を介してサーバ１０からレンタル情報を受信していない場合（ステップＳ３１４：Ｎｏ）、情報処理装置２０は、上述したステップＳ３１３へ戻る。
【０１６９】
図７に戻り、ステップＳ２２０以降の説明を続ける。
ステップＳ２２０において、表示制御部２７３は、情報処理装置２０に接続された情報取得装置３０から取得した複数の画像データに対応する複数の画像を表示部２５に一覧表示させる。
【０１７０】
その後、操作部２４を介して表示部２５が一覧表示する複数の画像の中から表示部２５に全画面表示させる画像が選択された場合（ステップＳ２２１：Ｙｅｓ）、表示制御部２７３は、操作部２４を介して選択された画像を表示部２５に全画面表示させる（ステップＳ２２２）。
【０１７１】
続いて、操作部２４に対して表示部２５が全画面表示する画像の画像パラメータを変更する操作があった場合（ステップＳ２２３：Ｙｅｓ）、第２制御部２７は、表示部２５が全画面表示する画像に対して、操作部２４の操作に応じた画像パラメータの画像処理を実行する（ステップＳ２２４）。
【０１７２】
その後、操作部２４から画像編集を終了する指示信号が入力された場合（ステップＳ２２５：Ｙｅｓ）、情報処理装置２０は、ステップＳ２１１へ移行する。これに対して、操作部２４から画像編集を終了する指示信号が入力されていない場合（ステップＳ２２５：Ｎｏ）、情報処理装置２０は、上述したステップＳ２２１へ戻る。
【０１７３】
ステップＳ２２１において、操作部２４を介して表示部２５が一覧表示する複数の画像の中から表示部２５に全画面表示させる画像が選択されていない場合（ステップＳ２２１：Ｎｏ）、情報処理装置２０は、ステップＳ２２５へ移行する。
【０１７４】
ステップＳ２２３において、操作部２４に対して表示部２５が全画面表示する画像の画像パラメータを変更する操作がなかった場合（ステップＳ２２３：Ｎｏ）、情報処理装置２０は、ステップＳ２２５へ移行する。
【０１７５】
ステップＳ２０１において、接続部２２に情報取得装置３０が接続されていない場合（ステップＳ２０１：Ｎｏ）、情報処理装置２０は、表計算や文章作成等のその他の処理を実行する（ステップＳ２２６）。ステップＳ２２６の後、情報処理装置２０は、ステップＳ２１１へ移行する。
【０１７６】
〔携帯機器の処理〕
次に、携帯機器６０が実行する処理について説明する。
図１３は、携帯機器６０が実行する処理の概要を示すフローチャートである。
【０１７７】
図１３に示すように、まず、記録部７０が記録するプログラムを起動させて、ネットワークＮ１００を介してサーバ１０に蓄積された画像データに対応する画像を閲覧する場合（ステップＳ４０１：Ｙｅｓ）、通信制御部７１１は、ネットワークＮ１００および第４通信部６６を介してサーバ１０にアクセスする（ステップＳ４０２）。
【０１７８】
続いて、通信制御部７１１は、操作部６７から入力された画像データを検索する検索条件を第４通信部６６に送信させる（ステップＳ４０３）。
【０１７９】
その後、ネットワークＮ１００および第４通信部６６を介してサーバ１０から画像データを受信した場合（ステップＳ４０４：Ｙｅｓ）、表示制御部７１３は、サーバ１０から受信した画像データに対応する画像を表示部６８に表示させる（ステップＳ４０５）。ステップＳ４０５の後、携帯機器６０は、後述するステップＳ４０６へ移行する。
【０１８０】
ステップＳ４０４において、ネットワークＮ１００および第４通信部６６を介してサーバ１０から画像データを受信していない場合（ステップＳ４０４：Ｎｏ）、携帯機器６０は、ステップＳ４０３へ戻る。
【０１８１】
ステップＳ４０６において、ネットワークＮ１００および第４通信部６６を介してサーバ１０から検索条件に基づくアドバイス情報を受信した場合（ステップＳ４０６：Ｙｅｓ）、表示制御部７１３は、アドバイス情報を表示部６８に表示させる（ステップＳ４０７）。
【０１８２】
続いて、操作部６７からアドバイス情報に基づく機器のレンタルを要求する指示信号が入力された場合（ステップＳ４０８：Ｙｅｓ）、通信制御部７１１は、レンタル要求信号を第４通信部６６に送信させる（ステップＳ４０９）。
【０１８３】
その後、ネットワークＮ１００および第４通信部６６を介して記入テンプレートを受信した場合（ステップＳ４１０：Ｙｅｓ）、表示制御部７１３は、レンタルテンプレートを表示部６８に表示させる（ステップＳ４１１）。
【０１８４】
続いて、通信制御部７１１は、操作部６７を介して記入テンプレートに記入された記入情報をサーバ１０に向けて第４通信部６６に送信させる（ステップＳ４１２）。
【０１８５】
その後、ネットワークＮ１００および第４通信部６６を介してレンタル情報を受信した場合（ステップＳ４１３：Ｙｅｓ）、表示制御部７１３は、レンタル情報を表示部６８に表示させる（ステップＳ４１４）。
【０１８６】
続いて、操作部６７から終了を指示する指示信号が入力された場合（ステップＳ４１５：Ｙｅｓ）、携帯機器６０は、本処理を終了する。これに対して、操作部６７から終了を指示する指示信号が入力されていない場合（ステップＳ４１５：Ｎｏ）、携帯機器６０は、上述したステップＳ４０１へ戻る。
【０１８７】
ステップＳ４０６において、ネットワークＮ１００および第４通信部６６を介してサーバ１０からアドバイス情報を受信していない場合（ステップＳ４０６：Ｎｏ）、携帯機器６０は、ステップＳ４１５へ移行する。
【０１８８】
ステップＳ４０８において、操作部６７からアドバイス情報に基づく機器のレンタルを要求する指示信号が入力されていない場合（ステップＳ４０８：Ｎｏ）、携帯機器６０は、ステップＳ４１５へ移行する。
【０１８９】
ステップＳ４０１において、記録部７０が記録するプログラムを起動させて、ネットワークＮ１００を介してサーバ１０に蓄積された画像データに対応する画像を閲覧しない場合（ステップＳ４０１：Ｎｏ）、携帯機器６０は、記録部７０が記録するプログラムを起動させて、通話やネット検索等を行うその他の処理を実行する（ステップＳ４１６）。ステップＳ４１６の後、携帯機器６０は、ステップＳ４１５へ移行する。
【０１９０】
ステップＳ４１０において、ネットワークＮ１００および第４通信部６６を介して記入テンプレートを受信していない場合（ステップＳ４１０：Ｎｏ）、携帯機器６０は、ステップＳ４０９へ移行する。
【０１９１】
ステップＳ４１３において、ネットワークＮ１００および第４通信部６６を介してレンタル情報を受信していない場合（ステップＳ４１３：Ｎｏ）、携帯機器６０は、上述したステップＳ４１２へ戻る。
【０１９２】
〔サーバの処理〕
次に、サーバ１０が実行する処理について説明する。
図１４は、サーバ１０が実行する処理の概要を示すフローチャートである。
【０１９３】
図１４に示すように、まず、ネットワークＮ１００を介して情報処理装置２０および携帯機器６０のどちらか一方から接続された場合（ステップＳ５０１：Ｙｅｓ）、サーバ１０は、後述するステップＳ５０２へ移行する。これに対して、ネットワークＮ１００を介して情報処理装置２０および携帯機器６０のどちらか一方からも接続されなかった場合（ステップＳ５０１：Ｎｏ）、サーバ１０は、後述するステップＳ５０４へ移行する。
【０１９４】
ステップＳ５０２において、接続された情報処理装置２０または携帯機器６０が画像データ記録部１２に記録された画像データに対応する画像を鑑賞する場合（ステップＳ５０２：Ｙｅｓ）、検索部１５６は、情報処理装置２０または携帯機器６０から入力された検索情報や指示信号に基づいて、画像データ記録部１２に記録された複数の画像データそれぞれに対応する複数の画像から画像を検索して第１通信部１１に送信させることによって情報処理装置２０または携帯機器６０で画像を鑑賞させる画像鑑賞処理を実行する（ステップＳ５０３）。なお、画像鑑賞処理の詳細は、後述する。ステップＳ５０３の後、サーバ１０は、後述するステップＳ５０４へ移行する。
【０１９５】
続いて、第１通信部１１を介して接続された情報処理装置２０または携帯機器６０から終了を指示する指示信号が入力された場合（ステップＳ５０４：Ｙｅｓ）、サーバ１０は、本処理を終了する。これに対して、第１通信部１１を介して接続された情報処理装置２０または携帯機器６０から終了を指示する指示信号が入力されていない場合（ステップＳ５０４：Ｎｏ）、サーバ１０は、ステップＳ５０１へ戻る。
【０１９６】
ステップＳ５０２において、情報処理装置２０または携帯機器６０が画像データ記録部１２に記録された画像データに対応する画像を鑑賞しない場合（ステップＳ５０２：Ｎｏ）、サーバ１０は、後述するステップＳ５０５へ移行する。
【０１９７】
続いて、情報処理装置２０または携帯機器６０がサーバ１０を介してプログラムのバージョンアップを行う場合（ステップＳ５０５：Ｙｅｓ）、更新制御部１６０は、ネットワークＮ１００を介して情報処理装置２０、情報取得装置３０または携帯機器６０に格納されたソフトのバージョンアップを行うためのプログラムを送信するバージョンアップ処理を実行する（ステップＳ５０６）。なお、バーションアップ処理の詳細は、後述する。ステップＳ５０６の後、サーバ１０は、ステップＳ５０４へ移行する。
【０１９８】
ステップＳ５０５において、情報処理装置２０または携帯機器６０がサーバ１０を介してプログラムのバージョンアップを行わない場合（ステップＳ５０５：Ｎｏ）、サーバ１０は、後述するステップＳ５０７へ移行する。
【０１９９】
ステップＳ５０７において、情報処理装置２０または携帯機器６０がサーバ１０を介して所有する情報取得装置３０、アクセサリー等の所有機器を貸し出すための登録またはレンタルを行う場合（ステップＳ５０９：Ｙｅｓ）、サーバ１０は、情報処理装置２０または携帯機器６０がサーバ１０を介して所有する情報取得装置３０、アクセサリー等の所有機器の貸し出しの登録またはレンタルを行うレンタル処理を実行する（ステップＳ５０８）。なお、レンタル処理の詳細は、後述する。ステップＳ５０８の後、サーバ１０は、ステップＳ５０４へ移行する。
【０２００】
ステップＳ５０７において、情報処理装置２０または携帯機器６０がサーバ１０を介して所有する情報取得装置３０、アクセサリー等の所有機器を貸し出すための登録またはレンタルを行わない場合（ステップＳ５０７：Ｎｏ）、サーバ１０は、ステップＳ５０４へ移行する。
【０２０１】
〔画像鑑賞処理〕
次に、上述した図１４のステップＳ５０３の画像鑑賞処理の詳細について説明する。図１５は、画像鑑賞処理の概要を示すフローチャートである。
【０２０２】
図１５に示すように、ネットワークＮ１００を介して情報処理装置２０または携帯機器６０から検索条件を受信した場合（ステップＳ６０１：Ｙｅｓ）、検索部１５６は、画像データ記録部１２に記録された複数の画像データの中から検索条件に基づく画像データを第１通信部１１に送信させる（ステップＳ６０２）。なお、検索部１５６は、ネットワークＮ１００を介して情報処理装置２０または携帯機器６０から受信した検索条件に基づいて、画像データ記録部１２が記録する複数の画像データの中からアドバイス情報となる画像データを検索する。具体的には、検索部１５６は、画像データ記録部１２が記録する複数の画像データの中から検索条件に基づく画像を撮影可能な情報取得装置３０、交換レンズ３２およびアクセサリー３３等を用いて他の所有者が撮影した画像データをアドバイス情報として検索する。また、検索部１５６は、ネットワークＮ１００を介して情報処理装置２０または携帯機器６０から受信した使用履歴および識別情報に基づいて、情報処理装置２０または携帯機器６０が閲覧を所望する画像データを検索してもよい。ステップＳ６０２の後、サーバ１０は、後述するステップＳ６０３へ移行する。
【０２０３】
ステップＳ６０１において、ネットワークＮ１００を介して情報処理装置２０または携帯機器６０から検索条件を受信していない場合（ステップＳ６０１：Ｎｏ）、サーバ１０は、検索条件を受信するまで待機する。
【０２０４】
ステップＳ６０３において、検索部１５６は、ネットワークＮ１００を介して情報処理装置２０または携帯機器６０から受信した検索条件に基づいて、画像データ記録部１２が記録する複数の画像データの中からアドバイス情報となる画像データを検索するとともに、推奨機材判定部１６１は、レンタルサービス記録部１３が記録する複数の機材から検索部１５６の検索結果に基づいて、ネットワークＮ１００を介してサーバ１０に接続された情報処理装置２０または携帯機器６０に対して使用を推奨する推奨機材を判定する。具体的には、検索部１５６は、画像データ記録部１２が記録する複数の画像データの中から検索条件に基づく画像を撮影可能な情報取得装置３０、交換レンズ３２およびアクセサリー３３等を用いて他の所有者が撮影した画像データをアドバイス情報として検索する。なお、検索部１５６は、ネットワークＮ１００を介して情報処理装置２０または携帯機器６０から受信した使用履歴および識別情報に基づいて、情報処理装置２０または携帯機器６０が閲覧を所望する画像データを検索してもよい。推奨機材判定部１６１は、レンタルサービス記録部１３が記録する複数のレンタル情報から検索部１５６の検索結果に基づいて、サーバ１０に接続された機器に対して使用を推奨する推奨機材を判定する。
【０２０５】
続いて、検索部１５６による検索条件および推奨機材判定部１６１による推奨機材に基づくアドバイス情報が検索された場合（ステップＳ６０４：Ｙｅｓ）、アドバイス情報生成部１５７は、検索部１５６によって検索された画像データおよび推奨機材判定部１６１によって判定された推奨機材をアドバイス情報として生成し、このアドバイス情報を第１通信部１１に送信させる（ステップＳ６０５）。なお、アドバイス情報生成部１５７は、検索部１５６によって検索された画像データおよび推奨機材判定部１６１によって判定された推奨機材の少なくとも一方をアドバイス情報として生成してもよい。
【０２０６】
続いて、ネットワークＮ１００および第１通信部１１を介して情報処理装置２０または携帯機器６０からレンタルを希望する指示信号が入力された場合（ステップＳ６０６：Ｙｅｓ）、送信制御部１５８は、賃貸者に機器をレンタルするための記入テンプレートを第１通信部１１に送信させる（ステップＳ６０７）。
【０２０７】
その後、ネットワークＮ１００および第１通信部１１を介して情報処理装置２０または携帯機器６０から記入情報を受信した場合（ステップＳ６０８：Ｙｅｓ）、サーバ１０は、後述するステップＳ６０９へ移行する。これに対して、ネットワークＮ１００および第１通信部１１を介して情報処理装置２０または携帯機器６０から記入情報を受信していない場合（ステップＳ６０８：Ｎｏ）、サーバ１０は、記入情報を受信するまで待機する。
【０２０８】
ステップＳ６０９において、特定部１５４は、記入情報とレンタルサービス記録部１３が記録する情報に基づいて、レンタルすることができるレンタル機器を特定する。
【０２０９】
続いて、送信制御部１５８は、特定部１５４が特定したレンタル機器に関するレンタル情報を第１通信部１１に送信させる（ステップＳ６１０）。ステップＳ６１０の後、サーバ１０は、図１４のメインルーチンへ戻る。
【０２１０】
ステップＳ６０４において、検索部１５６によって検索条件に基づくアドバイス情報が画像データ記録部１２から検索されなかった場合（ステップＳ６０４：Ｎｏ）、サーバ１０は、図１４のメインルーチンへ戻る。
【０２１１】
ステップＳ６０６において、ネットワークＮ１００および第１通信部１１を介して情報処理装置２０または携帯機器６０からレンタルを希望する指示信号が入力されていない場合（ステップＳ６０６：Ｎｏ）、サーバ１０は、図１４のメインルーチンへ戻る。
【０２１２】
〔バージョンアップ処理〕
次に、図１４のステップＳ５０６で説明したバージョンアップ処理の詳細について説明する。図１６は、バージョンアップ処理の概要を示すフローチャートである。
【０２１３】
図１６に示すように、まず、アクセスされた機器が情報処理装置２０である場合（ステップＳ７０１：Ｙｅｓ）について説明する。このとき、取得部１５１は、第１通信部１１およびネットワークＮ１００を介して情報処理装置２０から現在のプログラムのバージョン情報を取得する（ステップＳ７０２）。
【０２１４】
続いて、取得部１５１が取得したバージョン情報が旧バージョンである場合（ステップＳ７０３：Ｙｅｓ）、送信制御部１５８は、新バージョンのプログラムが有る旨の新バージョン情報を第１通信部１１に送信させる（ステップＳ７０４）。
【０２１５】
その後、ネットワークＮ１００および第１通信部１１を介して情報処理装置２０から情報処理装置２０のプログラムのバージョンアップを更新する指示信号が入力された場合（ステップＳ７０５）、送信制御部１５８は、取得部１５１が少なくとも使用履歴情報を情報処理装置２０から取得する旨の同意を得るための同意書を第１通信部１１に送信させる（ステップＳ７０６）。
【０２１６】
続いて、ネットワークＮ１００および第１通信部１１を介して情報処理装置２０から同意情報を受信した場合（ステップＳ７０７：Ｙｅｓ）、取得部１５１は、第１通信部１１およびネットワークＮ１００を介して情報処理装置２０から使用履歴情報等を取得する（ステップＳ７０８）。
【０２１７】
その後、送信制御部１５８は、新バージョンのプログラムを第１通信部１１に送信させる（ステップＳ７０９）。ステップＳ７０９の後、サーバ１０は、図１４のメインルーチンへ戻る。
【０２１８】
ステップＳ７０３において、取得部１５１が取得したバージョン情報が旧バージョンでない場合（ステップＳ７０３：Ｎｏ）、サーバ１０は、図１４のメインルーチンへ戻る。
【０２１９】
ステップＳ７０５において、ネットワークＮ１００および第１通信部１１を介して情報処理装置２０からプログラムのバージョンアップを更新する指示信号が入力されていない場合（ステップＳ７０５：Ｎｏ）、サーバ１０は、図１４のメインルーチンへ戻る。
【０２２０】
ステップＳ７０７において、ネットワークＮ１００および第１通信部１１を介して情報処理装置２０から同意情報を受信していない場合（ステップＳ７０７：Ｎｏ）、サーバ１０は、ステップＳ７０９へ移行する。
【０２２１】
ステップＳ７０１において、アクセスされた機器が情報処理装置２０でない場合（ステップＳ７０１：Ｎｏ）、サーバ１０は、ステップＳ７１０へ移行する。
【０２２２】
続いて、アクセスされた機器が情報処理装置２０に接続された情報取得装置３０である場合（ステップＳ７１０：Ｙｅｓ）、サーバ１０は、後述するステップＳ７１１へ移行する。
【０２２３】
その後、取得部１５１は、第１通信部１１およびネットワークＮ１００を介して情報取得装置３０から現在のプログラムのバージョン情報を取得する（ステップＳ７１１）。
【０２２４】
続いて、取得部１５１が取得したバージョン情報が旧バージョンである場合（ステップＳ７１２：Ｙｅｓ）、送信制御部１５８は、新バージョンのプログラムが有る旨の新バージョン情報を第１通信部１１に送信させる（ステップＳ７１３）。
【０２２５】
その後、ネットワークＮ１００および第１通信部１１を介して、情報取得装置３０が接続された情報処理装置２０から情報取得装置３０のプログラムのバージョンアップを更新する指示信号が入力された場合（ステップＳ７１４：Ｙｅｓ）、送信制御部１５８は、取得部１５１が少なくとも使用履歴情報を情報取得装置３０から取得する旨の同意を得るための同意書を第１通信部１１に送信させる（ステップＳ７１５）。
【０２２６】
続いて、ネットワークＮ１００および第１通信部１１を介して情報取得装置３０が接続された情報処理装置２０から同意情報を受信した場合（ステップＳ７１６：Ｙｅｓ）、取得部１５１は、第１通信部１１およびネットワークＮ１００を介して情報取得装置３０から使用履歴情報等を取得する（ステップＳ７１７）。
【０２２７】
その後、送信制御部１５８は、新バージョンのプログラムを第１通信部１１に送信させる（ステップＳ７１８）。ステップＳ７１８の後、サーバ１０は、図１４のメインルーチンへ戻る。
【０２２８】
ステップＳ７１２において、取得部１５１が取得したバージョン情報が旧バージョンでない場合（ステップＳ７１２：Ｎｏ）、サーバ１０は、図１４のメインルーチンへ戻る。
【０２２９】
ステップＳ７１４において、ネットワークＮ１００および第１通信部１１を介して情報処理装置２０からプログラムのバージョンアップを更新する指示信号が入力されていない場合（ステップＳ７１４：Ｎｏ）、サーバ１０は、図１４のメインルーチンへ戻る。
【０２３０】
ステップＳ７１６において、ネットワークＮ１００および第１通信部１１を介して情報取得装置３０が接続された情報処理装置２０から同意情報を受信していない場合（ステップＳ７１６：Ｎｏ）、サーバ１０は、ステップＳ７１８へ移行する。
【０２３１】
ステップＳ７１０において、アクセスされた機器が情報処理装置２０に接続された情報取得装置３０でない場合（ステップＳ７１０：Ｎｏ）、サーバ１０は、後述するステップＳ７１９へ移行する。
【０２３２】
続いて、アクセスされた機器が携帯機器６０である場合（ステップＳ７１９：Ｙｅｓ）、サーバ１０は、後述するステップＳ７２０へ移行する。
【０２３３】
続いて、取得部１５１は、第１通信部１１およびネットワークＮ１００を介して携帯機器６０から現在のプログラムのバージョン情報を取得する（ステップＳ７２０）。
【０２３４】
その後、取得部１５１が取得したバージョン情報が旧バージョンである場合（ステップＳ７２１：Ｙｅｓ）、送信制御部１５８は、新バージョンのプログラムがある旨の新バージョン情報を第１通信部１１に送信させる（ステップＳ７２２）。
【０２３５】
続いて、ネットワークＮ１００および第１通信部１１を介して携帯機器６０からプログラムのバージョンアップを更新する指示信号が入力された場合（ステップＳ７２３：Ｙｅｓ）、送信制御部１５８は、新バージョンのプログラムを第１通信部１１に送信させる（ステップＳ７２４）。ステップＳ７２４の後、サーバ１０は、図１４のメインルーチンへ戻る。
【０２３６】
ステップＳ７１９において、アクセスされた機器が携帯機器６０でない場合（ステップＳ７１９：Ｎｏ）、サーバ１０は、図１４のメインルーチンへ戻る。
【０２３７】
ステップＳ７２１において、取得部１５１が取得したバージョン情報が旧バージョンでない場合（ステップＳ７２１：Ｎｏ）、サーバ１０は、図１４のメインルーチンへ戻る。
【０２３８】
ステップＳ７２３において、ネットワークＮ１００および第１通信部１１を介して携帯機器６０からプログラムのバージョンアップを更新する指示信号が入力されていない場合（ステップＳ７２３：Ｎｏ）、サーバ１０は、図１４のメインルーチンへ戻る。
【０２３９】
〔レンタル処理〕
次に、図１４のステップＳ５０８で説明したレンタル処理の詳細について説明する。図１７は、レンタル処理の概要を示すフローチャートである。
【０２４０】
図１７に示すように、まず、取得部１５１は、ネットワークＮ１００および第１通信部１１を介してサーバ１０にアクセスされた機器から現在のプログラムのバージョン情報を取得する（ステップＳ８０１）。
【０２４１】
続いて、取得部１５１が取得したバージョン情報が旧バージョンである場合（ステップＳ８０２：Ｙｅｓ）、送信制御部１５８は、新バージョンのプログラムがある旨の新バージョン情報を第１通信部１１に送信させる（ステップＳ８０３）。ステップＳ８０３の後、サーバ１０は、後述するステップＳ８０４へ移行する。これに対して、取得部１５１が取得したバージョン情報が旧バージョンでない場合（ステップＳ８０２：Ｎｏ）、サーバ１０は、後述するステップＳ８０４へ移行する。
【０２４２】
続いて、送信制御部１５８は、取得部１５１が少なくとも使用履歴情報を取得する旨の同意を得るための同意書を第１通信部１１に送信させる（ステップＳ８０３）。
【０２４３】
その後、サーバ１０にアクセスされた機器から同意情報を受信した場合（ステップＳ８０５：Ｙｅｓ）、取得部１５１は、第１通信部１１およびネットワークＮ１００を介してサーバ１０にアクセスされた機器から使用履歴情報等を取得する（ステップＳ８０６）。ステップＳ８０６の後、サーバ１０は、後述するステップＳ８０７へ移行する。これに対して、ネットワークＮ１００および第１通信部１１を介してサーバ１０にアクセスされた機器から同意情報を受信していない場合（ステップＳ８０５：Ｎｏ）、サーバ１０は、後述するステップＳ８０８へ移行する。
【０２４４】
続いて、サーバ１０は、使用履歴情報に基づいて、少なくともアクセスされた機器に対して撮影パラメータや撮影時に適切な機材等のアドバイス情報を生成して送信するアドバイス送信処理を実行する（ステップＳ８０７）。ステップＳ８０７の後、サーバ１０は、後述するステップＳ８０８へ移行する。
【０２４５】
〔アドバイス送信処理〕
図１８は、図１７のステップＳ８０７のアドバイス送信処理の概要を示すフローチャートである。
【０２４６】
図１８に示すように、アドバイス情報生成部１５７は、サーバ１０にアクセスされた機器の機器識別情報と、少なくとも使用履歴情報および検索条件のどちらか一方と、に基づいて、少なくとも撮影にお薦めするお薦め機材に関する機材情報と、撮影時にお薦め機材で撮影された画像データと、を含むアドバイス情報を生成する（ステップＳ８０７ａ）。なお、アドバイス情報生成部１５７は、アドバイス情報に、お薦め機材で撮影された際の撮影パラメータを含めて生成してもよい。
【０２４７】
続いて、送信制御部１５８は、アドバイス情報生成部１５７が生成したアドバイス情報を第１通信部１１に送信させる（ステップＳ８０７ｂ）。ステップＳ８０７ｂの後、サーバ１０は、図１７のサブルーチンへ戻る。
【０２４８】
図１７に戻り、ステップＳ８０８以降の説明を続ける。
ステップＳ８０８において、サーバ１０にアクセスされた機器から情報取得装置３０および交換レンズ３２やアクセサリー３３等の撮影機材のレンタルを要求する指示信号が入力された場合（ステップＳ８０８：Ｙｅｓ）、サーバ１０は、賃貸者に対してレンタルを行うためのレンタル特定処理を行う（ステップＳ８０９）。ステップＳ８０９の後、サーバ１０は、ステップＳ８１０へ移行する。
【０２４９】
〔レンタル特定処理〕
図１９は、図１７のステップＳ８０９のレンタル特定処理の概要を示すフローチャートである。
【０２５０】
図１９に示すように、まず、特定部１５４は、ネットワークＮ１００および第１通信部１１を介して情報処理装置２０または携帯機器６０から入力された記入情報および使用履歴情報等に基づいて、特定の日時において貸し出しすることができる機器を特定する（ステップＳ８０９ａ）。具体的には、特定部１５４は、ネットワークＮ１００および第１通信部１１を介して情報処理装置２０または携帯機器６０から入力された記入情報、サーバ１０に接続された情報処理装置２０または携帯機器６０を識別する機器識別情報および使用履歴情報等に基づいて、レンタル情報記録部１３４に記録された複数のレンタル情報の中から特定の日時における不使用の情報取得装置３０および交換レンズ３２やアクセサリー３３等の所有機器等の機器を特定する。より具体的には、特定部１５４は、アドバイス情報生成部１５７がアドバイス情報を生成したアドバイス情報に含まれるお薦め機材およびサーバ１０に接続された情報処理装置２０または携帯機器６０を識別する機器識別情報に基づく使用履歴に基づいて、レンタル情報記録部１３４に記録された複数のレンタル情報の中から日時設定部１５５が記入情報に含まれる日時に基づいて設定した日時に不使用の情報取得装置３０および交換レンズ３２やアクセサリー３３等の所有機器等の機器を特定する。
【０２５１】
続いて、特定部１５４によってレンタル情報記録部１３４に記録された複数のレンタル情報の中から特定の日時における不使用の機器があると特定された場合（ステップＳ８０９ｂ：Ｙｅｓ）、送信制御部１５８は、サーバ１０に接続された情報処理装置２０または携帯機器６０に対して、特定部１５４によって特定された機器に関するレンタル情報を第１通信部１１に送信させる（ステップＳ８０９ｃ）。ステップＳ８０９ｃの後、サーバ１０は、図１７のサブルーチンへ戻る。
【０２５２】
ステップＳ８０９ｂにおいて、特定部１５４によってレンタル情報記録部１３４に記録された複数のレンタル情報の中から特定の日時における不使用の機器がないと特定された場合（ステップＳ８０９ｂ：Ｎｏ）、送信制御部１５８は、サーバ１０に接続された情報処理装置２０または携帯機器６０に対して貸し出しすることができる機器がない旨のレンタル情報を第１通信部１１に送信させる（ステップＳ８０９ｄ）。ステップＳ８０９ｄの後、サーバ１０は、図１７のサブルーチンへ戻る。
【０２５３】
図１７に戻り、ステップＳ８１０以降の説明を続ける。
ステップＳ８１０において、サーバ１０は、レンタル登録処理を実行する。ステップＳ８１０の後、サーバ１０は、図１４のルーチンへ戻る。
【０２５４】
〔レンタル登録処理〕
図２０は、図１７のステップＳ８１１のレンタル登録処理の概要を示すフローチャートである。
【０２５５】
図２０に示すように、取得部１５１は、サーバ１０に接続された情報処理装置２０または情報取得装置３０から使用履歴情報、所有者識別情報、機器識別情報および所有機器情報を取得する（ステップＳ８１１ａ）。
【０２５６】
続いて、使用状況予測部１５３は、使用履歴情報、所有者識別情報、機器識別情報および所有機器情報に基づいて、特定の日時における機器（情報取得装置３０、交換レンズ３２またはアクセサリー３３）の使用状況を予測する（ステップＳ８１１ｂ）。
【０２５７】
その後、特定部１５４は、使用状況予測部１５３が予測した予測結果に基づいて、レンタル情報記録部１３４が記録する複数のレンタル情報から特定の日時において不使用の機器を特定する（ステップＳ８１１ｃ）。
【０２５８】
続いて、送信制御部１５８は、特定部１５４が特定した特定の日時において不使用の機器（情報取得装置３０、交換レンズ３２またはアクセサリー３３）に対して、レンタル登録情報を第１通信部１１に送信させる（ステップＳ８１１ｄ）。この場合、送信制御部１５８は、不使用の機器が接続された情報処理装置２０に対して、レンタル登録情報を第１通信部１１に送信させる。
【０２５９】
その後、特定部１５４が特定した特定の日時において不使用の機器、または不使用の機器が接続された情報処理装置２０から貸し出すためのレンタル登録を指示する指示信号が入力された場合（ステップＳ８１１ｅ：Ｙｅｓ）、サーバ１０は、後述するステップＳ８１１ｆへ移行する。これに対して、特定部１５４が特定した特定の日時において不使用の機器、または不使用の機器が接続された情報処理装置２０から貸し出すためのレンタル登録を指示する指示信号が入力されていない場合（ステップＳ８１１ｅ：Ｎｏ）、サーバ１０は、図１７のサブルーチンへ戻る。
【０２６０】
ステップＳ８１１ｆにおいて、送信制御部１５８は、特定部１５４が特定した特定の日時において不使用の機器、または不使用の機器が接続された情報処理装置２０に対して、レンタル登録するための登録テンプレートを第１通信部１１に送信させる。
【０２６１】
続いて、ネットワークＮ１００および第１通信部１１を介して特定部１５４が特定した特定の日時において不使用の機器、または不使用の機器が接続された情報処理装置２０から登録情報を受信した場合（ステップＳ８１１ｇ：Ｙｅｓ）、レンタル登録部１５９は、登録情報をレンタル情報としてレンタル情報記録部１３４に登録して記録する（ステップＳ８１１ｈ）。ステップＳ８１１ｈの後、サーバ１０は、図１７のサブルーチンへ戻る。
【０２６２】
ステップＳ８１１ｇにおいて、ネットワークＮ１００および第１通信部１１を介して特定部１５４が特定した特定の日時において不使用の機器、または不使用の機器が接続された情報処理装置２０から登録情報を受信していない場合（ステップＳ８１１ｇ：Ｎｏ）、サーバ１０は、図１７のサブルーチンへ戻る。
【０２６３】
図１７に戻り、ステップＳ８０８以降の説明を続ける。
ステップＳ８０８において、サーバ１０に接続された機器から情報取得装置３０および交換レンズ３２やアクセサリー３３等の撮影機材のレンタルを要求する指示信号が入力されていない場合（ステップＳ８０８：Ｎｏ）、サーバ１０は、ステップＳ８１０へ移行する。
【０２６４】
ステップＳ８１０において、サーバ１０に接続された機器から情報取得装置３０および交換レンズ３２やアクセサリー３３等の撮影機材を貸し出すための登録を指示する指示信号が入力されていない場合（ステップＳ８１０：Ｎｏ）、サーバ１０は、図１４のメインルーチンへ戻る。
【０２６５】
以上説明した本発明の一実施の形態によれば、特定部１５４が使用状況予測部１５３によって予測された予測結果に基づいて、複数の情報取得装置３０のうち特定の日時において不使用の情報取得装置３０を特定するので、簡易に機材を賃貸借することができる。
【０２６６】
また、本発明の一実施の形態によれば、送信制御部１５８が特定部１５４によって特定された不使用機器に対して賃借者に貸し出すレンタルサービスの登録を促すレンタル登録情報を第１通信部１１に送信させるので、所有者が所有する機器に対してレンタルサービスの登録を促すことができる。
【０２６７】
また、本発明の一実施の形態によれば、送信制御部１５８が特定部１５４によって特定された複数の交換レンズ３２またはアクセサリー３３のうち特定の日時において不使用の交換レンズ３２またはアクセサリー３３に対して賃借者に貸し出すレンタルサービスの登録を促すレンタル登録情報を第１通信部１１に送信させるので、所有者が所有する交換レンズ３２またはアクセサリー３３に対してレンタルサービスの登録を促すことができる。
【０２６８】
また、本発明の一実施の形態によれば、アドバイス情報生成部１５７がネットワークＮ１００を介して接続された情報取得装置３０の使用履歴情報、機器識別情報および所有機器情報に基づいて、撮影時のアドバイス情報を生成し、送信制御部１５８がネットワークＮ１００を介して接続された情報取得装置３０、情報取得装置３０が接続された情報処理装置２０および携帯機器６０のいずれか一つにアドバイス情報を送信するので、所有者が不使用の機器を用いて際の画像を直感的に把握することができるとともに、積極的に機器のレンタルを行うことを促すことができる。
【０２６９】
（その他の実施の形態）
上述した本発明の一実施の形態に開示されている複数の構成要素を適宜組み合わせることによって、種々の発明を形成することができる。例えば、上述した本発明の一実施の形態に記載した全構成要素からいくつかの構成要素を削除してもよい。
【０２７０】
また、本発明の一実施の形態では、画像共有システムであったが、例えば内視鏡を備える内視鏡システム、被検体を撮像するビデオマイクロスコープを備える顕微鏡システムであっても適用することができる。
【０２７１】
また、本発明の一実施の形態では、上述してきた「部」は、「手段」や「回路」などに読み替えることができる。例えば、制御部は、制御手段や制御回路に読み替えることができる。
【０２７２】
また、本発明に係るサーバ、情報取得装置および携帯機器に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０２７３】
また、本発明に係るサーバ、情報取得装置および携帯機器に実行させるプログラムは、インターネット等のネットワークに接続されたコンピュータ上に格納し、ネットワーク経由でダウンロードさせることにより提供するように構成してもよい。さらに、本発明に係るサーバ、情報取得装置および携帯機器に実行させるプログラムをインターネット等のネットワーク経由で提供または配布するように構成しても良い。
【０２７４】
また、本発明の形態では、伝送ケーブルを介して情報処理装置および情報取得装置をデータ通信していたが、例えば有線である必要はなく、無線であってもよい。この場合、所定の無線通信規格（例えばＷｉ−Ｆｉ（登録商標）やＢｌｕｅｔｏｏｔｈ（登録商標））に従って、情報処理装置から情報取得装置へデータを送信するようにすればよい。もちろん、他の無線通信規格に従って無線通信を行ってもよい。
【０２７５】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。即ち、本明細書で記載したフローチャートにおける処理の順序は、矛盾のない範囲で変更することができる。また、こうした、単純な分岐処理からなるプログラムに限らず、より多くの判定項目を総合的に判定して分岐させてもよい。その場合、ユーザにマニュアル操作を促して学習を繰り返すうちに機械学習するような人工知能の技術を併用しても良い。また、多くの専門家が行う操作パターンを学習させて、さらに複雑な条件を入れ込む形で深層学習をさせて実行してもよい。
【０２７６】
以上、本願の実施の形態のいくつかを図面に基づいて詳細に説明したが、これらは例示であり、本発明の開示の欄に記載の態様を始めとして、当業者の知識に基づいて種々の変形、改良を施した他の形態で本発明を実施することが可能である。
【０２７７】
（付記項１）
ネットワークを介して複数の情報取得装置の各々が接続されるサーバであって、
前記複数の情報取得装置の各々から使用履歴に関する使用履歴情報および前記複数の情報取得装置の各々を識別する情報取得装置識別情報を取得する取得部と、
前記使用履歴情報および前記情報取得装置識別情報に基づいて、特定の日時における前記複数の情報取得装置の使用状況を予測する使用状況予測部と、
前記使用状況予測部が予測した予測結果に基づいて、前記複数の情報取得装置のうち前記特定の日時において不使用と予測される不使用情報取得装置を特定する特定部と、
前記ネットワークを介して接続された情報処理装置または携帯機器を介して賃貸者が入力した記入情報に基づいて、前記特定の日時を設定する、または祝日を前記特定の日時に設定する日時設定部と、
を備えることを特徴とするサーバ。
【０２７８】
（付記項２）
前記取得部は、前記不使用情報取得装置から貸し出すことを承諾する登録情報を受信した場合、少なくとも前記不使用情報取得装置または前記不使用情報取得装置が接続された情報処理装置から貸し出し時に前記不使用情報取得装置において禁止された禁止条件を取得することを特徴とする付記項１に記載のサーバ。
【０２７９】
（付記項３）
前記不使用情報取得装置に対して、前記特定の日時に貸し出すことを促すレンタル登録情報を前記不使用情報取得装置が接続された情報処理装置に送信する通信部をさらに備えることを特徴とする付記項１または２に記載のサーバ。
【０２８０】
（付記項４）
前記取得部は、前記複数の情報取得装置の各々の所有者が所有する所有機器から使用履歴に関する使用履歴および所有機器を識別する所有機器識別情報を含む所有機器情報を取得し、
前記使用状況予測部は、前記使用履歴情報、前記情報取得装置識別情報および前記所有機器情報に基づいて、前記特定の日時における前記所有機器の使用状況を予測し、
前記特定部は、前記使用状況予測部が予測した予測結果に基づいて、前記特定の日時において不使用と予測される不使用所有機器を特定することを特徴とする付記項３に記載のサーバ。
【０２８１】
（付記項５）
前記複数の情報取得装置の各々から送信された画像データと、前記使用履歴情報と、前記情報取得装置識別情報と、前記所有機器情報と、を対応付けた画像ファイルを複数記録する画像データ記録部と、
前記ネットワークを介して接続された前記情報取得装置の前記使用履歴情報、前記情報取得装置識別情報および前記所有機器情報に基づいて、前記特定の日時における撮影時のアドバイス情報を生成するアドバイス情報生成部と、
をさらに備え、
前記通信部は、前記ネットワークを介して接続された前記情報取得装置、前記情報取得装置が接続された情報処理装置および携帯機器のいずれか一つに前記アドバイス情報を送信することを特徴とする付記項４に記載のサーバ。
【０２８２】
（付記項６）
前記複数の情報取得装置の各々から送信された画像データと、前記使用履歴情報と、前記情報取得装置識別情報と、前記所有機器情報と、を対応付けた画像ファイルを複数記録する画像データ記録部と、
前記ネットワークを介して接続された情報処理装置または携帯機器から入力され、前記画像データ記録部が記録する複数の前記画像ファイルの中から所定の条件に一致する画像データを検索して前記情報処理装置または前記携帯機器に送信して閲覧するための検索条件に基づいて、前記特定の日時における撮影時のアドバイス情報を生成するアドバイス情報生成部と、
をさらに備え、
前記通信部は、前記情報処理装置または前記携帯機器に前記アドバイス情報を送信することを特徴とする付記項４に記載のサーバ。
【０２８３】
（付記項７）
前記不使用情報取得装置から受信した貸し出すことを承諾する登録情報と、前記不使用情報取得装置を識別する前記情報取得装置識別情報と、前記所有機器情報と、を対応付けたレンタル情報を複数記録するレンタル情報記録部をさらに備え、
前記アドバイス情報には、前記特定の日時に貸し出しすることができる前記不使用情報取得装置または前記不使用所有機器に関する前記レンタル情報と、前記特定の日時に貸し出しすることができる前記不使用情報取得装置または前記不使用所有機器で撮影された画像データと、が含まれることを特徴とする付記項５または６に記載のサーバ。
【０２８４】
（付記項８）
前記特定部は、前記アドバイス情報を送信した前記情報処理装置または前記携帯機器からレンタルを要求するレンタル要求信号を受信した場合、前記レンタル情報記録部に記録された複数の前記レンタル情報の中から前記特定の日時における前記不使用情報取得装置および前記不使用所有機器の少なくとも一方を特定し、
前記通信部は、前記ネットワークを介して接続された前記情報取得装置、前記情報取得装置が接続された情報処理装置および携帯機器のいずれか一つに前記特定部によって特定された前記不使用情報取得装置および前記不使用所有機器の少なくとも一方の前記レンタル情報を送信することを特徴とする付記項７に記載のサーバ。
【０２８５】
（付記項９）
前記登録情報には、前記不使用情報取得装置または前記不使用所有機器に対する禁止行為、使用禁止場所および禁止機能、貸し出し日時および貸し出し期間が含まれることを特徴とする付記項８に記載のサーバ。
【０２８６】
（付記項１０）
前記複数の情報取得装置の各々のプログラムを更新する更新制御部をさらに備え、
前記通信部は、前記複数の情報取得装置の各々が接続され、かつ、前記更新制御部によって前記プログラムが更新される場合、前記レンタル登録情報を送信することを特徴とする付記項５〜９のいずれか一つに記載のサーバ。
【符号の説明】
【０２８７】
１・・・画像共有システム；１０・・・サーバ；１１・・・第１通信部；１２・・・画像データ記録部；１３・・・レンタルサービス記録部；１４・・・プログラム記録部；１５・・・第１制御部；２０，２０Ａ，２０Ｂ・・・情報処理装置；２２・・・接続部；２３，６２，３０３・・・時計；２４，６７，３０８・・・操作部；２５，３０９・・・表示部；２６，７０，３１１・・・記録部；２７・・・第２制御部；３０，３０Ａ，３０Ｂ・・・情報取得装置；３１・・・本体部；３２・・・交換レンズ；３３・・・アクセサリー；６０・・・携帯機器；６１・・・撮像部；６３，３０４・・・姿勢検出部；６４，３０５・・・位置検出部；６５，３０６・・・方位検出部；６６・・・第４通信部；６８・・・表示部；６９，３１０・・・タッチパネル；７１・・・第４制御部；１３１・・・使用履歴情報記録部；１３２・・・識別情報記録部；１３３・・・所有機器情報記録部；１３４・・・レンタル情報記録部；１４１・・・アプリプログラム記録部；１４２・・・カメラプログラム記録部；１４３・・・サーバプログラム記録部；１５１・・・取得部；１５２・・・所有者判定部；１５３・・・使用状況予測部；１５４・・・特定部；１５５・・・日時設定部１５６・・・検索部；１５７・・・アドバイス情報生成部；１５８・・・送信制御部；１５９・・・レンタル登録部；１６０・・・更新制御部；２６１，３１１ａ，７０１・・・プログラム記録部；２６２・・・使用履歴情報記録部；２７１・・・通信制御部；２７２・・・記録制御部；２７３・・・表示制御部；３０１・・・アクセサリー情報取得部；３０２・・・撮像素子；３０７・・・第３通信部；３１１ｂ，７０２・・・画像データ記録部；３１１ｃ・・・識別情報記録部；３１１ｄ・・・バージョン情報記録部；３１１ｅ・・・所有機器情報記録部；３１２・・・第３制御部；３１２ａ・・・被写体判定部；３１２ｂ・・・操作履歴検出部；３１２ｃ・・・撮影パラメータ検出部；３１２ｄ・・・特定状況判定部；３１２ｅ・・・シーン判定部；３１２ｆ，７１１・・・通信制御部；３１２ｇ，７１２・・・撮像制御部；３１２ｈ，７１３・・・表示制御部；３１２ｉ，７１４・・・記録制御部；３２１・・・交換レンズ情報記録部；３３１・・・アクセサリー情報記録部
【図１】
2019086825.tif 000003
【図２】
2019086825.tif 000004
【図３】
2019086825.tif 000005
【図４】
2019086825.tif 000006
【図５】
2019086825.tif 000007
【図６】
2019086825.tif 000008
【図７】
2019086825.tif 000009
【図８】
2019086825.tif 000010
【図９】
2019086825.tif 000011
【図１０】
2019086825.tif 000012
【図１１】
2019086825.tif 000013
【図１２】
2019086825.tif 000014
【図１３】
2019086825.tif 000015
【図１４】
2019086825.tif 000016
【図１５】
2019086825.tif 000017
【図１６】
2019086825.tif 000018
【図１７】
2019086825.tif 000019
【図１８】
2019086825.tif 000020
【図１９】
2019086825.tif 000021
【図２０】
2019086825.tif 000022